(57)【要約】【課題】本発明は、データ受信機にデータを送信するためのデータ送信機を提供することを目的とする。【解決手段】個々の通信情報は、データ送信機、およびデータ受信機に知られており、データ送信機は、個々の通信情報を用いている間に、個々の同期シーケンスを生成するように構成されている。【選択図】図１
2020515154.tif 000002
【特許請求の範囲】
【請求項１】
データ受信機（１１０）にデータを送信するためのデータ送信機（１００）であって、
個々の通信情報は、前記データ送信機（１００）、および前記データ受信機（１１０）に知られるようになっており、前記データ送信機（１００）は、前記個々の通信情報を用いている間に、個々の同期シーケンスを生成するように構成されており、
前記通信情報は、データ送信機を認証する情報、そして／あるいは、前記データ送信機のデータパケット（１２０）を認証する情報であることを特徴とする、データ送信機（１００）。
【請求項２】
前記データ送信機（１００）は、あらかじめ、前記通信情報を含むデータパケット（１２０）を前記データ受信機（１１０）に送信する、または、あらかじめ、前記データ受信機（１１０）から前記通信情報を受信するように構成されていることを特徴とする、請求項１に記載のデータ送信機（１００）。
【請求項３】
前記データ送信機（１００）は、前記データ受信機（１１０）、そして／あるいは、限定されたデータ受信機のグループにのみ知られた同期シーケンスを伴う前記データパケット（１２０）を提供するように構成されていることを特徴とする、請求項２に記載のデータ送信機（１００）。
【請求項４】
前記データ送信機（１００）は、前記データ受信機（１１０）で、前記データパケット（１２０）を同期させるために、個々の同期シーケンスを伴って送信されたデータパケット（１２０）を提供するように構成されていることを特徴とする、請求項１ないし請求項３のうちのいずれか１つに記載のデータ送信機（１００）。
【請求項５】
前記個々の通信情報は、データ送信機（１００）、およびデータ受信機（１１０）との間の通信のために個別であることを特徴とする、請求項１ないし請求項４のうちのいずれか１つに記載のデータ送信機（１００）。
【請求項６】
前記通信情報は、前記データ送信機（１００）、そして、前記データ受信機（１１０）、または、限定されたデータ受信機のグループだけに知られていることを特徴とする、請求項１ないし請求項５のうちのいずれか１つに記載のデータ送信機（１００）。
【請求項７】
前記データ送信機（１００）は、それぞれのデータパケット、または、特定の時間間隔の後に、前記通信情報を更新することを特徴とする、請求項１ないし請求項６のうちのいずれか１つに記載のデータ送信機（１００）。
【請求項８】
前記通信情報は、署名であることを特徴とする、請求項１ないし請求項７のうちのいずれか１つに記載のデータ送信機（１００）。
【請求項９】
前記通信情報は、暗号ベースのメッセージ認証コードであることを特徴とする、請求項８に記載のデータ送信機（１００）。
【請求項１０】
前記データ送信機（１００）は、前記データパケット（１２０）を複数のサブデータパケット（１４２）に分割して、そして、時間、そして／あるいは、周波数に割り振られた前記複数のサブデータパケット（１４２）を前記データ受信機（１１０）に送信するように構成されていることを特徴とする、請求項１ないし請求項９のうちのいずれか１つに記載のデータ送信機（１００）。
【請求項１１】
前記データ送信機（１００）は、前記データパケット（１２０）を複数のサブデータパケット（１２０）に分割するように構成されており、前記個々の同期シーケンスは、前記複数のサブデータパケット（１４２）に分割されることを特徴とする、請求項１０に記載のデータ送信機（１００）。
【請求項１２】
前記データ送信機（１００）は、個々の通信情報を用いている間に、時間、そして／あるいは、周波数に割り振るために、複数のサブデータパケット（１４２）とともに送信される時間ホッピングパターン、そして／あるいは、周波数ホッピングパターンを生成するように構成されていることを特徴とする、請求項１０または請求項１１のうちのいずれか１つに記載のデータ送信機（１００）。
【請求項１３】
前記データ送信機（１００）は、マッピングルールを用いる個々の同期シーケンスを生成することを特徴とする、請求項１ないし請求項１２のうちのいずれか１つに記載のデータ送信機（１００）。
【請求項１４】
前記データ送信機（１００）は、前記個々の同期シーケンスを伴う前記データパケット（１２０）を繰り返し送信するように構成されていることを特徴とする、請求項１ないし請求項１３のうちのいずれか１つに記載のデータ送信機（１００）。
【請求項１５】
前記データ送信機（１００）は、前記データパケット（１２０）を複数のサブデータパケット（１４２）に分割して、そして、時間、そして／あるいは、周波数ホッピングパターンに従って、時間、そして／あるいは、周波数で、データ受信機（１１０）に割り振られる複数のサブデータパケット（１４２）を送信するように構成されており、
前記データ送信機（１００）は、個々の同期シーケンスを伴う前記データパケット（１２０）を繰り返し放射している間に、異なる時間、そして／あるいは、周波数ホッピングパターンを用いるように構成されていることを特徴とする、請求項１４に記載のデータ送信機（１００）。
【請求項１６】
前記個々の同期シーケンスを伴う前記データパケット（１２０）は、前記データ送信機（１００）が、先行するデータパケットの正確な受信に応答して送信する個々の同期シーケンスのための確認メッセージであることを特徴とする、請求項１ないし請求項１５のうちのいずれか１つに記載のデータ送信機（１００）。
【請求項１７】
前記データ送信機（１００）は、前記データ送信機（１００）から送信された、少なくとも１つのさらなるデータパケットについての追加の起動情報を伴う前記データパケット（１２０）を提供するように構成されていることを特徴とする、請求項１ないし請求項１６のうちのいずれか１つに記載のデータ送信機（１００）。
【請求項１８】
前記起動情報は、少なくとも１つのさらなるデータパケットの送信時間、または、構造の情報を特定することを特徴とする、請求項１７に記載のデータ送信機（１００）。
【請求項１９】
データパケット（１２０）で、データ送信機（１００）によって送信された、前記データ送信機（１００）からのデータを受信するデータ受信機（１１０）であって、
前記データパケット（１２０）は、前記データ送信機（１００）、および前記データ受信機（１１０）に知られている個々の通信情報を用いている間に生成された、個々の同期シーケンスとともに提供され、前記データ受信機（１１０）は、前記通信情報を用いている間に、個々の参考同期シーケンスを生成し、そして、データストリーム、または、データバッファの受信で前記個々の参考同期シーケンスを用いている間に受信するために、前記データパケット（１２０）を検出するように構成されており、
前記通信情報は、前記データ送信機（１００）、そして／あるいは、前記データ送信機（１００）のデータパケット（１２０）を認証する情報であることを特徴とする、データ受信機（１１０）。
【請求項２０】
前記データ受信機（１１０）は、あらかじめ、前記データ送信機（１００）から前記通信情報を含むデータパケット（１２０）を受信する、または、あらかじめ、前記データ送信機（１００）に前記通信情報を含むデータパケット（１２０）を送信するように構成されていることを特徴とする、請求項１９に記載のデータ受信機（１１０）。
【請求項２１】
前記データ受信機（１１０）は、前記データ受信機、およびさらなるデータ受信機に知られている参考同期シーケンスを用いている間に、データストリームの受信の中で同期シーケンスとともに提供された前記通信情報を含む前記データパケットを検出するように構成されていることを特徴とする、請求項２０に記載のデータ受信機（１１０）。
【請求項２２】
前記個々の通信情報は、前記データ送信機（１００）と前記データ受信機（１１０）の間の通信のために、個別であることを特徴とする、請求項１９ないし請求項２１のうちのいずれか１つに記載のデータ受信機（１１０）。
【請求項２３】
前記個々の通信情報は、前記データ送信機（１００）、前記データ受信機（１１０）、または、限定された受信機のグループだけに知られていることを特徴とする、請求項１９ないし請求項２２のうちのいずれか１つに記載のデータ受信機（１１０）。
【請求項２４】
前記通信情報は、署名であることを特徴とする、請求項１９ないし請求項２３のうちのいずれか１つに記載のデータ受信機（１１０）。
【請求項２５】
前記通信情報は、暗号ベースのメッセージ認証コードであることを特徴とする、請求項１９ないし請求項２４のうちのいずれか１つに記載のデータ受信機（１１０）。
【請求項２６】
前記データ受信機は、前記参考同期シーケンスを用いている間に、個々の同期シーケンスを伴う前記データパケットを同期させるように構成されていることを特徴とする、請求項１９ないし請求項２５のうちのいずれか１つに記載のデータ受信機（１１０）。
【請求項２７】
前記データ受信機（１１０）は、同期シーケンスを用いている間に、前記データ送信機（１００）と前記データ受信機（１１０）の間のチャンネルを推定するように構成されていることを特徴とする、請求項２６に記載のデータ受信機（１１０）。
【請求項２８】
前記データ受信機（１１０）は、前記受信された個々の同期シーケンスを用いている間に、前記データパケット（１２０）を複号することを特徴とする、請求項１９ないし請求項２７のうちのいずれか１つに記載のデータ受信機（１１０）。
【請求項２９】
前記データ受信機（１１０）は、前記データ送信機（１００）を認証するための前記受信された個々の同期シーケンスを受信している間に、前記データパケット（１２０）の前記データを複号することを特徴とする、請求項２８に記載のデータ受信機（１１０）。
【請求項３０】
前記データ受信機（１１０）は、前記データパケット（１２０）を複号している間に、
複号で知られていないシーケンスとされる前記受信された個々の同期シーケンスを含むように構成されていることを特徴とする、請求項２８または請求項２９のうちのいずれか１つに記載のデータ受信機（１１０）。
【請求項３１】
前記データパケット（１２０）は、複数のサブデータパケット（１４２）に分割されて送信されており、前記複数のサブデータパケットは、時間、そして／あるいは、周波数に割り振られて送信され、
前記データ受信機（１１０）は、前記データパケット（１２０）を得るために、前記複数のサブデータパケット（１４２）を受信し、および組み合わせることを特徴とする、請求項１９ないし請求項３０のうちのいずれか１つに記載のデータ受信機（１１０）。
【請求項３２】
前記複数のサブデータパケット（１４２）は、時間、および、周波数に割り振るために、時間ホッピングパターン、そして／あるいは、周波数ホッピングパターンを用いている間に、送信され、
前記データ受信機（１１０）は、前記複数のサブデータパケット（１４２）を受信するために、前記個々の通信情報を用いている間に、前記時間ホッピングパターン、そして／あるいは、前記周波数ホッピングパターンを決定するように構成されていることを特徴とする、請求項３１に記載のデータ受信機（１１０）。
【請求項３３】
前記データ受信機（１１０）は、マッピングルールを用いている間に、前記個々の参考同期シーケンスを生成するように構成されていることを特徴とする、請求項１９ないし請求項３２のうちのいずれか１つに記載のデータ受信機（１１０）。
【請求項３４】
前記データパケット（１２０）は、前記データ送信機（１００）によって送信されるために、少なくとも１つのさらなるデータパケットについての追加の起動情報とともに提供され、
前記データ受信機（１１０）は、前記起動情報を用いている間に、前記少なくとも１つのさらなるデータパケットを受信するように構成されていることを特徴とする、請求項１９ないし請求項３３のうちのいずれか１つに記載のデータ受信機（１１０）。
【請求項３５】
前記起動情報は、少なくとも１つのさらなるデータパケットの送信時間、または、構造の情報を示していることを特徴とする、請求項３４に記載のデータ受信機（１１０）。
【請求項３６】
複数のデータ受信機にデータを送信するためのデータ送信機（１００）であって、前記データ送信機（１００）と前記１つのデータ受信機（１１０）との間の個々の通信のための個々の通信情報は、前記データ送信機（１００）、および前記複数のデータ受信機のうちの１つのデータ受信機（１１０）に知られており、前記データ送信機（１００）は、前記通信情報を用いている間に、個々の同期シーケンスを生成するように構成されており、
そして、前記データ受信機（１１０）で前記データパケット（１２０）を同期させるための個々の同期シーケンスとともに送信するための前記データパケット（１２０）を提供するように構成されており、
前記通信情報は、前記データ送信機を認証する情報、そして／あるいは、前記データ送信機のデータパケット（１２０）を認証する情報であることを特徴とする、データ送信機（１００）。
【請求項３７】
請求項１ないし請求項１８、または、請求項３６のうちのいずれか１つに記載のデータ送信機（１００）と、
請求項１９ないし請求項３５のうちのいずれか１つに記載のデータ受信機（１１０）と、
を備えることを特徴とするシステム。
【請求項３８】
データ受信機にデータを送信する方法（２４０）であって、
前記データ送信機、および前記データ受信機に知られている個々の通信情報を用いている間に、個々の同期シーケンスを生成するステップと、
前記データ受信機で、前記データパケットを同期させるための前記個々のシーケンスを含むデータパケットを送信するステップと、
を備え、
前記通信情報は、前記データ送信機を認証する情報、そして／あるいは、前記データ送信機のデータパケット（１２０）を認証する情報であることを特徴とする、データを送信する方法（２４０）。
【請求項３９】
データパケットで、前記データ送信機によって送信された、前記データ送信機からのデータを受信する方法（２６０）であって、
前記受信する方法（２６０）は、
個々の通信情報を用いている間に、個々の参考同期シーケンスが生成されるステップ（２６２）と、
個々の参考同期シーケンスを用いている間の、データストリームの受信、または、データバッファの受信で、前記データパケットを検出するステップ（２６４）と、
検出されたデータパケットを受信するステップ（２６４）と、
を備え、
前記データパケットは、前記データ送信機、および前記データ受信機に知られている個々の通信情報を用いている間に生成された、個々の同期シーケンスとともに提供され、
前記通信情報は、前記データ送信機を認証する情報、そして／あるいは、前記データ送信機のデータパケット（１２０）を認証する情報であることを特徴とする、データを受信する方法（２６０）。
【請求項４０】
通信システムの第１の発信者によって送信された先行するデータパケットの受信を確認する認証された受信の確認を送信する方法であって、
前記方法は、
前記通信システムの第２の発信者とともに前記先行するデータパケットを受信するステップと、
前記先のデータパケットの受信が成功した上で、第２の発信者から第１の発信者まで個々の同期シーケンスを有するデータパケットを送信するステップと、
を備え、
前記個々の同期シーケンスは、共通の通信のために、前記第１の発信者、および前記第２の発信者に個々に割り当てられた個々の通信情報から生成されており、
前記通信情報は、前記データ送信機を認証する情報、そして／あるいは、前記データ送信機のデータパケット（１２０）を認証する情報であることを特徴とする、認証された受信の確認を送信する方法。
【請求項４１】
請求項３８ないし請求項４０のうちのいずれか１つに記載の前記方法を実行するためのコンピュータプログラム。
【請求項４２】
データ受信機（１１０）にデータを送信するデータ送信機（１００）であって、
前記個々の通信情報は、前記データ送信機（１００）、および前記データ受信機（１１０）に知られており、前記データ送信機（１００）は、前記個々の通信情報を用いている間に、個々の同期シーケンスを生成するように構成されており、
前記データ送信機（１００）は、前記データ送信機（１００）と前記データ受信機（１１０）との間の先行する通信から前記個々の通信情報を抽出するように構成されていることを特徴とする、データ送信機（１００）。
【請求項４３】
前記個々の通信情報は、暗号の署名であることを特徴とする、請求項４２に記載のデータ送信機（１００）。
【請求項４４】
前記暗号の署名は、ＣＭＡＣであることを特徴とする、請求項４３に記載のデータ送信機（１００）。
【請求項４５】
前記個々の通信情報は、前記先行する通信の暗号化された部分であることを特徴とする、請求項４１に記載のデータ送信機（１００）。
【請求項４６】
前記先行する通信は、前記データ受信機（１１０）から、前記データ送信機（１００）によって受信された先行するデータパケットであることを特徴とする、請求項１ないし請求項４５のうちのいずれか１つに記載のデータ送信機（１００）。
【請求項４７】
前記データ送信機（１００）は、前記個々の通信情報からのマッピングルールを用いている間に、前記個々の同期シーケンスを生成するように構成されていることを特徴とする、請求項１ないし請求項４６のうちのいずれか１つに記載のデータ送信機（１００）。
【請求項４８】
前記データ送信機（１００）は、前記個々の通信情報だけから前記個々の同期シーケンスを生成するように構成されていることを特徴とする、請求項４７に記載のデータ送信機（１００）。
【請求項４９】
前記個々の同期シーケンスは、前記データ送信機（１００）が先行するデータパケットの正確な受信に応答してデータ送信機（１００）が送信した認証された受信の確認であるために、前記データパケット（１２０）は、前記個々の同期シーケンスを含んでいることを特徴とする、請求項１ないし請求項４８のうちのいずれか１つに記載のデータ送信機（１００）。
【請求項５０】
データパケット（１２０）で、データ送信機（１００）によって送信された、前記データ送信機（１００）からのデータを受信するデータ受信機（１１０）であって、
前記データパケット（１２０）は、前記データ送信機（１００）、および前記データ受信機（１１０）に知られている個々の通信情報を用いている間に生成された、個々の同期シーケンスを伴って提供され、前記データ受信機（１１０）は、前記通信情報を用いている間に、個々の参考同期シーケンスを生成し、そして、データストリームの受信、または、データバッファの受信で前記個々の参考同期シーケンスを用いている間に受信するために、前記データパケット（１２０）を検出するように構成されており、
前記データ受信機（１１０）は、前記データ送信機（１００）と前記データ受信機（１１０）との間の先行する通信から前記通信情報を抽出するように構成されていることを特徴とする、データ受信機（１１０）。
【請求項５１】
前記個々の通信情報は、暗号の署名であることを特徴とする、請求項５０に記載のデータ受信機（１１０）
【請求項５２】
前記暗号の署名は、ＣＭＡＣであることを特徴とする、請求項５１に記載のデータ受信機（１１０）。
【請求項５３】
前記個々の通信情報は、前記先行する通信の暗号化された部分であることを特徴とする、請求項５０に記載のデータ受信機（１１０）。
【請求項５４】
前記先行する通信情報は、前記データ受信機（１１０）から、前記データ受信機（１１０）に送信された先行するデータパケットであることを特徴とする請求項１ないし請求項５３のうちのいずれか１つに記載のデータ受信機（１１０）。
【請求項５５】
前記データ受信機（１１０）は、前記個々の通信情報からのマッピングルールを用いている間に、前記個々の参考同期シーケンスを生成するように構成されていることを特徴とする、請求項１ないし請求項５４のうちのいずれか１つに記載のデータ受信機（１１０）。
【請求項５６】
前記データ受信機（１１０）は、前記個々の通信情報のみから前記個々の参考同期シーケンスを生成するように構成されていることを特徴とする、請求項５５に記載のデータ受信機（１１０）。
【請求項５７】
前記個々の同期シーケンスは、先行するデータパケットの正確な受信に応答して、前記データ送信機（１００）によって送信された認証された受信の確認であるために、前記データパケット（１２０）は、前記個々の同期シーケンスを含んでいることを特徴とする、請求項１ないし請求項５６のうちのいずれか１つに記載のデータ受信機（１１０）。
【請求項５８】
データ受信機にデータを送信する方法（２４０）であって、
前記方法は、
前記データ送信機（１００）、および前記データ受信機（１１０）に知られている個々の通信情報を用いている間に、個々の同期シーケンスを生成するステップ（２４２）と、
前記データ受信機でデータパケットを同期させるために、前記個々の同期シーケンスを有するデータパケットを送信するステップ（２４２）と、
前記個々の通信情報は、前記データ送信機（１００）、および前記データ受信機（１１０）の間の先行する通信から抽出されていることを特徴とする、データを送信する方法（２４０）。
【請求項５９】
データパケットで、データ送信機によって送信された、前記データ送信機からのデータを受信する方法（２６０）であって、
前記個々の通信情報を用いている間に、個々の参考同期シーケンスが生成されるステップ（２６２）と、
前記個々の参考同期シーケンスを用いている間の、データストリームの受信、または、データバッファの受信で、前記データパケットを検出するステップ（２６４）と、
前記検出されたデータパケットを受信するステップ（２６６）と、
を備え、
前記データパケットは、前記データ送信機、および前記データ受信機に知られている個々の通信情報を用いている間に生成された、個々の同期シーケンスとともに提供され、
前記個々の通信情報は、前記データ送信機（１００）、および前記データ受信機（１１０）との間の先行する通信から抽出されていることを特徴とする、データを受信する方法（２６０）。
【発明の詳細な説明】
【技術分野】
【０００１】
本発明は、データの送信機、およびデータの送信方法に関する。さらに、実施の形態は、データ受信機、およびデータの受信方法に関する。いくつかの実施の態様は、認証された確認、および起動メッセージを送信するためのデータ送信機、そして、同じく受信するためのデータ受信機に関する。
【背景技術】
【０００２】
タイムスロット、周波数、位相、サンプリング位相に関するデジタル無線送信システムで受信信号を同期させて、および通常は知られていない無線を推定して、そして、均等にするために、知られていないデータシンボルに加えて、送信信号（波形）は、同期シンボルにも基づく。これらのシンボルは、受信機の中であらかじめ知られており、そして、しばしば、トレーニング、パイロット、プリアンブル（ｐｒｅａｎｂｌｅ）、または、ミッドアンブル（ｍｉｄａｎｂｌｅ）シンボルで参照される。それらは、ふつう、知られていないどのような（受信機にも）情報を運んではおらず、そして、情報を実際に運んでいるデータシンボルから区別されなければならない。ＧＳＭ（登録商標）、ＵＭＴＳ、そして、ＬＴＥ標準（ｓｔａｎｄａｒｄ）を基礎にした現在のモバイル無線システムでは、同期シンボルは定義されており、例えば、対応する標準化文書、例えば、［３nd  Ｇｅｎｅｒａｔｉｏｎ  Ｐａｒｔｎｅｒｓｈｉｐ  Ｐｒｏｊｅｃｔ  ３ＧＰＰ  ＴＳ  ４５．００２，  “Ｍｕｌｔｉｐｌｅｘｉｎｇ  ａｎｄ  ｍｕｌｔｉｐｌｅ  ａｃｃｅｓｓ  ｏｎ  ｔｈｅ  ｒａｄｉｏ  ｐａｔｈ“］”，［３nd  Ｇｅｎｅｒａｔｉｏｎ  Ｐａｒｔｎｅｒｓｈｉｐ  Ｐｒｏｊｅｃｔ  ３ＧＰＰ  ＴＳ  ２５．２１１，  “Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ  （ＦＤＤ）”］， ［３nd  Ｇｅｎｅｒａｔｉｏｎ  Ｐａｒｔｎｅｒｓｈｉｐ  Ｐｒｏｊｅｃｔ  ３ＧＰＰ  ＴＳ  ３６．２１１，  “Ｐｈｙｓｉｃａｌ  ｃｈａｎｎｅｌｓ  ａｎｄ  ｍｏｄｕｌａｔｉｏｎ”］を見てください。
【０００３】
受信機の中のあらかじめ知られた同期シンボルが、受信機の中で、同期、そして／あるいは、チャンネル推定のためだけに用いられている間は、メッセージの確実性を確認するためには、メッセージそのものに送られるデータを必要とする。しばしば、いわゆる、ＣＭＡＣシーケンス（ＣＭＡＣ＝ｃｉｐｈｅｒ  ｂａｓｅｄ  ｍｅｓｓａｇｅ  ａｕｔｈｅｎｔｉｃａｔｉｏｎ  ｃｏｄｅ）は、この目的のために用いられる。同期、および認証は、したがって、互いに分離している。
【０００４】
ＤＥ  １０  ２０１１  ０８２  ０９８  Ｂ１には、データ送信のための電信分裂（ｔｅｌｅｇｒａｍ  ｓｐｌｉｔｔｉｎｇ）方法を用いた単一指向性のデータ送信を伴う電池式の静止したセンサーの配置が示されている。
【０００５】
ＷＯ  ２０１５／１２８３８５には、エネルギーハーベスティング要素に基づくエネルギー供給を伴うデータ送信配列が記述されている。
【０００６】
出版物［Ｇ．Ｋｉｌｉａｎ，Ｈ．Ｐｅｔｋｏｖ，Ｒ．Ｐｓｉｕｋ，Ｈ．Ｌｉｅｓｋｅ，Ｆ．Ｂｅｅｒ，Ｊ．Ｒｏｂｅｒｔ，ａｎｄ  Ａ．Ｈｅｕｂｅｒｇｅｒ，“Ｉｍｐｒｏｖｅｄ  ｃｏｖｅｒａｇｅ  ｆｏｒ ｌｏｗ‐ｐｏｗｅｒ  ｔｅｌｅｍｅｔｒｙ  ｓｙｓｔｅｍｓ  ｕｓｉｎｇ  ｔｅｌｅｇｒａｍ  ｓｐｌｉｔｔｉｎｇ”  ｉｎ  Ｐｒｏｃｅｅｄｉｎｇｓ  ｏｆ  ２０１３  Ｅｕｒｏｐｅａｎ  Ｃｏｎｆｅｒｅｎｃｅ  ｏｎ  Ｓｍａｒｔ  Ｏｂｊｅｃｔｓ，Ｓｙｓｔｅｍｓ  ａｎｄ  Ｔｅｃｈｎｏｌｏｇｉｅｓ  (ＳｍａｒｔＳｙｓ  Ｔｅｃｈ)，２０１３］には、電信分裂方法を用いた低エネルギー遠隔測定法システムのための改良された送信／受信電力が記述されている。
【０００７】
出版物［Ｇ．Ｋｉｌｉａｎ，Ｈ．Ｐｅｔｋｏｖ，Ｒ．Ｐｓｉｕｋ，Ｈ．Ｌｉｅｓｋｅ，Ｆ．Ｂｅｅｒ，Ｊ．Ｒｏｂｅｒｔ，ａｎｄ  Ａ．Ｈｅｕｂｅｒｇｅｒ，“Ｉｎｃｒｅａｓｉｎｇ  Ｔｒａｎｓｍｉｓｓｉｏｎ  Ｒｅｌｉａｂｉｌｉｔｙ  ｆｏｒ  Ｔｅｌｅｍｅｔｒｙ  Ｓｙｓｔｅｍｓ  Ｕｓｉｎｇ  Ｔｅｌｅｇｒａｍ  Ｓｐｌｉｔｔｉｎｇ“，ＩＥＥＥ Ｔｒａｎｓａｃｔｉｏｎｓ ｏｎ Ｃｏｍｍｕｎｉｃａｔｉｏｎｓ，ｖｏｌ．  ６３，ｎｏ．３，ＰＰ  ９４９‐９６１，  Ｍａｒ．２０１５］には、電信分裂方法を用いた
改良された遠隔測定法システムの送信が記述されている。
【発明の概要】
【発明が解決しようとする課題】
【０００８】
したがって、本発明の目的は、確認している認証のために必要とされるメッセージのオーバヘッドを減少させることである。
【０００９】
この目的は、独立クレームで明らかにされるような主題によって達成される。
【００１０】
有利なさらなる改良は、従属クレームで知られる。
【課題を解決するための手段】
【００１１】
実施の形態は、データ受信機にデータを送信するためのデータ送信機を提供し、個々の通信情報は、データ送信機、およびデータ受信機に知られており、データ送信機は、個々の通信情報を用いる個々の同期シーケンスを生成するように構成されている。
【００１２】
実施の形態は、複数の受信機にデータを送信するためのデータ送信機を提供し、データ送信機と１つのデータ受信機との間の個々の通信のための個々の通信情報は、データ送信機と複数のデータ受信機のうちの１つのデータ受信機に知られており、データ送信機は、通信情報を用いる個々の同期シーケンスを生成し、そして、データ受信機でデータパケットを同期するための個々の同期シーケンスを伴って送信するためのデータパケットを提供するように構成されている。
【００１３】
実施の形態は、データパケットで、データ送信機によって送信された、データ送信機からデータを受信するためのデータ受信機を提供し、データパケットは、データ送信機、およびデータ受信機に知られている個々の通信情報を用いている間に生成された個々の同期シーケンスとともに提供され、データ受信機は、通信情報を用いている間に、個々の参考同期シーケンスを生成し、そして、データストリームを受信、または、データバッファを受信しているときに、個々の参考同期シーケンスを用いている間に受信されたデータパケットを検出するように構成されている。
【００１４】
本発明は、データ送信機、およびデータ受信機との間の通信のための個々の同期シーケンスを用いる着想（ｃｏｎｃｅｐｔ）に基づいており、従来の同期シーケンスの代わりとして、データ送信機、およびデータ受信機（または、データ送信機の限定されたグループ、そして／あるいは、データ受信機）にのみ知られた、または、相互の通信のためにそれらに個々に割り当てられた個々の通信情報（例えば、署名）から抽出された、すべて、または、いくつかの特定されないで選ばれた通信システムの発信者（データ送信機、およびデータ受信機）に知られている。
【００１５】
さらなる実施の形態は、データ受信機にデータを送信する方法を提供する。方法は、
データ送信機、およびデータ受信機に知られている個々の通信情報を用いている間に、
個々の同期シーケンスを生成するステップと、を含む。方法は、さらに、データ受信機で、データパケットを同期させるために個々の同期シーケンスを有するデータパケットを送信するステップと、を含む。
【００１６】
さらなる実施の形態は、データパケットで、データ送信機によって送信された、データ送信機からデータを受信する方法を提供し、データパケットは、データ送信機、およびデータ受信機に知られている個々の通信情報を用いている間に生成された個々の同期シーケンスとともに提供される。方法は、個々の通信情報を用いている間に、個々の参考同期シーケンスを生成するステップと、を含む。方法は、さらに、個々の同期シーケンスを用いている間に、データストリームを受信、または、データバッファを受信しているときに、データパケットを検出するステップと、を含む。さらに、方法は、検出されたデータパケットを受信するステップと、を含む。
【００１７】
さらなる実施の形態は、通信システムの第１の発信者によって、送信された先行するデータパケットの受信を確認する認証された受信の確認を送信する方法を提供する。方法は、通信システムの第２の発信者から先行するデータパケットを受信するステップと、を含む。方法は、さらに、先行するデータパケットの受信を成功した上で、第２の発信者から第１の発信者まで、個々の同期シーケンスを有するデータパケットを送信するステップと、を含み、個々の同期シーケンスは、互いの通信のために、第１の発信者、および第２の発信者に個々に割り当てられた個々の通信情報から生成されている。
【００１８】
以下に、データ送信機の有利な更なる開発が記述される。
【００１９】
実施の形態では、データ送信機は、データ受信機で、データパケットを同期させるために、個々の同期シーケンスとともに送信されるデータパケットを提供するように構成されていてもよい。
【００２０】
実施の形態では、個々の同期シーケンスは、同期シンボルのシーケンスであってもよい。
【００２１】
実施の形態では、個々の通信情報は、データ送信機、およびデータ受信機との間の通信のために、個別であってもよい。
【００２２】
例えば、個々の通信情報は、例えば、データ送信機、または、データ受信機それ自身によって、または、別のデータ送信機によって、または、データ受信機、または、中央制御装置のような、通信システムの別の装置によって、データ送信機、およびデータ受信機に個々に割り当てられていてもよい。
【００２３】
実施の形態では、通信情報は、データ送信機、およびデータ受信機（または、限定されたデータ受信機のグループ）にだけ知られていてもよい。
【００２４】
例えば、個々の通信情報は、データ送信機、およびデータ受信機との間の通信、例えば、データ送信機、およびデータ受信機（または、限定されたデータ受信機のグループ）（そして、別のデータ送信機、および別のデータ受信機（または、限定されたデータ受信機のグループ））との間の通信のためだけに、個々に用いられてもよい。
【００２５】
実施の形態では、データ送信機は、それぞれのデータパケットの後に、プリセット（ｐｒｅｓｅｔ）された数のデータパケットの後に、または、プリセット、あるいは、特定の時間間隔の後に、更新されるように構成されていてもよい。
【００２６】
実施の形態では、通信情報は、データ送信機を認証する情報、そして／あるいは、データ送信機のデータパケットを認証する情報であってもよい。
【００２７】
実施の形態では、通信情報は、署名であってもよい。
【００２８】
例えば、通信情報は、暗号ベースのメッセージ認証コードであってもよい。
【００２９】
実施の形態では、データ送信機は、あらかじめ通信情報を含むデータパケットをデータ受信機に送信する、または、データ受信機からあらかじめ通信情報を受信するように構成されていてもよい。
【００３０】
実施の形態では、データ送信機は、データ受信機、そして／あるいは、限定されたデータ受信機のグループにのみ知られている同期シーケンスを伴うデータパケットを提供するように構成されている。
【００３１】
例えば、個々の通信情報は、データ送信機、およびデータ受信機だけに知られていてもよい。しかしながら、その“特性”が失われている個々の通信情報を除いて、データ送信機と特に選ばれたデータ受信機との間の個々の通信情報が知られることは可能である。データ受信機の限定されたグループは、例えば、データ送信機、データ受信機、他のデータ発信機、データ受信機、中央制御装置、サーバ、または、管理者によって決定されてもよい。
【００３２】
実施の形態では、データ送信機は、複数のデータパケットからデータパケットを分離して、そして、時間、そして／あるいは、周波数に割り振る方法で複数のデータパケットをデータ受信機に送信するように構成されていてもよい。データ送信機は、複数のサブデータパケットからデータパケットを分離するように構成されていてもよく、それによって、個々の同期シーケンス（および任意のデータ（例えば、ユーザデータ））は複数のサブデータパケットに分離される。データ送信機は、個々の通信情報を用いている間に、時間、そして／あるいは、周波数に割り振るために、複数のサブデータパケットとともに送信される時間ホッピングパターン、そして／あるいは、周波数ホッピングパターンを生成するように構成されていてもよい。
【００３３】
実施の形態では、データ送信機は、マッピングルール（マッピング仕様）を用いている間に、個々の同期シーケンスを生成するように構成されていてもよい。
【００３４】
実施の形態では、個々の同期シーケンスを伴うデータパケットを繰り返し（数回）送信するように構成されていてもよい。データ送信機は、データパケットを複数のサブデータパケットに分割し、そして、時間、そして／あるいは、周波数ホッピングパターンに従って、時間、そして／あるいは、周波数に割り振る方法で、複数のデータパケットをデータ受信機に送信し、そして、データパケットの繰り返しの送信で異なる時間、そして／あるいは、周波数ホッピングパターンを用いるように構成されていてもよい。
【００３５】
実施の形態では、個々の同期シーケンスを伴うデータパケットは、先のデータパケットの正確な受信に応答して、データ送信機が送信した前記個々の同期シーケンスを通じて、メッセージを確認してもよい。例えば、個々の同期シーケンスを伴うデータパケットは、先行するメッセージの受信が確認されてもよい。
【００３６】
実施の形態では、データ送信機は、データ送信機によって送信された少なくとも１つのさらなるデータパケットについての追加の起動情報を伴うデータパケットを提供するように構成されていてもよい。起動情報は、少なくとも１つのさらなるデータパケットの送信時間、または、構造の情報を特定してもよい。例えば、構造の情報は、データパケットサイズ、データパケットの長さ、サブデータパケットの数、または、時間、そして／あるいは、周波数ホッピングパターンであってもよい。
【００３７】
以下に、データ受信機のさらなる開発の利点が述べられる。
【００３８】
実施の形態では、個々の通信情報は、データ送信機、およびデータ受信機との間の通信のために、個別であってもよい。
【００３９】
実施の形態では、個々の通信情報は、例えば、データ送信機、または、データ受信機それ自体によって、例えば、別のデータ送信機、あるいは、データ受信機、あるいは、中央制御装置のような通信システムの別の装置によって、データ送信機、およびデータ受信機に個々に割り当てられてもよい。
【００４０】
実施の形態では、個々の通信情報は、データ送信機、データ受信機、または、限定されたデータ受信機のグループだけに知られていてもよい。
【００４１】
実施の形態では、通信情報は、データ送信機を認証する情報、そして／あるいは、データ送信機のデータパケットを認証する情報であってもよい。
【００４２】
実施の形態では、通信情報は、署名であってもよい。例えば、通信情報は、暗号ベースのメッセージ認証コードであってもよい。
【００４３】
実施の形態では、データ受信機は、参考同期シーケンスを用いている間に、個々の同期シーケンスを伴うデータパケットを同期するように構成されていてもよい。
【００４４】
さらにデータ受信機は、同期シーケンスを用いている間に、データ送信機、およびデータ受信機との間のチャンネルを推定するように構成されていてもよい。
【００４５】
実施の形態では、受信した個々の同期シーケンスを用いている間に、データパケットのデータを複号するように構成されていてもよい。
【００４６】
実施の形態では、データ受信機は、データ送信機を認証するために、個々の同期シーケンスを用いている間に、データパケットのデータを複号するように構成されていてもよい。
【００４７】
実施の形態では、データ受信機は、データパケットを複号するときに、受信された個々の同期シーケンスを知られていないシーケンスとして復号化に流れ込ませるように構成されていてもよい。
【００４８】
例えば、（実際に知られている）個々の同期シーケンスは、複号のために知られていないと仮定されるだけであり、そして、復号に関しては、（知られていない）データとして扱われる。
【００４９】
実施の形態では、データ受信機は、データ送信機からあらかじめ通信情報を伴うデータパケットを受信する、または、通信情報を伴うデータパケットをあらかじめデータ送信機に送信するように構成されていてもよい。データ受信機は、データ受信機、およびさらなるデータ受信機に知られた参考同期シーケンスを用いている間に受信したデータストリームの中の同期シーケンスを伴って提供される通信情報を有するデータパケットを検出するように構成されていてもよい。
【００５０】
実施の形態では、データパケットは、複数のサブデータパケットに分割されて送信されてもよく、複数のサブデータパケットは、時間、そして／あるいは、周波数に割り振る方法で送信される。このために、データパケットを得る目的で、データ受信機は、複数のサブデータパケットを受信して、そして、組み合わせるように構成されていてもよい。複数のサブデータパケットは、時間、そして／あるいは、周波数ホッピングパターンを用いている間に、送信されてもよく、それによって、それらは、時間、そして／あるいは、周波数に割り振られる。このために、複数のサブデータパケットを受信する目的で、データ受信機は、個々の通信情報を用いている間に、時間、そして／あるいは、周波数ホッピングパターンを決定するように構成されていてもよい。
【００５１】
実施の形態では、データ受信機は、マッピングルールを用いている間に、個々の参考同期シーケンスを生成するように構成されていてもよい。
【００５２】
実施の形態では、データパケットは、データ送信機によって送信された少なくとも１つのデータパケットについての追加の起動情報とともに提供されてもよい。このために、データ受信機は、起動情報を用いている間に、少なくとも１つのさらなるデータパケットを受信するように構成されていてもよい。起動情報は、送信時間、または、構造の情報を特定してもよい。例えば、構造の情報は、時間、そして／あるいは、周波数ホッピングパターン、または、データパケットの長さでもよい。
【００５３】
本発明の実施の形態は、添付された図面と関連して詳細に説明される。
【発明の効果】
【００５４】
本発明は、メッセージが必要とする確認の認証のオーバヘッドを減少させることができる。
【図面の簡単な説明】
【００５５】
【図１】本発明の実施の形態に従った、データ送信機と、データ受信機と、を備えたシステムの概略図が示されている。
【図２】本発明の時間、そして／あるいは、周波数ホッピングパターンに従った、複数のサブデータパケットを受信している間の、送信チャンネルの占有期間の図表が示されている。
【図３】実施の形態に従った、データ送信機、およびデータ受信機との間の通信シーケンスの概略図が示されている。
【図４ａ】データシンボルを伴ったブロックの後ろにある同期シンボルを伴うブロックの中のデータパケット、または、サブデータパケットの中の同期シンボル、およびデータシンボルの第１の配置の概略図が示されている。
【図４ｂ】同期シンボルの２つのブロックの間に配置されたデータシンボルのブロックの中のデータパケット、または、サブデータパケットの中の同期シンボル、およびデータシンボルの第２の配置の概略図が示されている。
【図４ｃ】同期シンボルの２つのブロックの間に配置されたデータシンボルのブロックの中のデータパケット、または、サブデータパケットの中の同期シンボル、およびデータシンボルの第３の配置の概略図が示されている。
【図４ｄ】データパケット、または、サブデータパケットの中に交互に配置された、データシンボルのブロック、および同期シンボルのブロックで、データパケット、または、サブデータパケットの同期シンボル、およびデータシンボルの第４の配置の概略図が示されている。
【図５】個々の同期シーケンスの同期シンボルを生成する方法のフローチャートが示されている。
【図６】複数のサブデータパケットを時間、および周波数に割り振る方法によって、データパケットを送信している間の送信チャンネルの占有を示す概略図が示されている。
【図７】時間、そして／あるいは、周波数ホッピングパターンを生成する方法のフローチャートが示されている。
【図８】実施の形態に従って、データをデータ受信機に送信する方法のフローチャートが示されている。
【図９】実施の形態に従って、データ送信機からデータを受信する方法のフローチャートが示されている。
【００５６】
本発明の以下の記述では、同一であるか、実行中に同一である要素は数字で同一の参照番号で提供される、そのため、それらの説明は相互に交換可能である。
【００５７】
図１には、本発明の実施の形態に従った、データ送信機１００を有するシステム、そして、受信機１１０の概略図が示されている。
【００５８】
個々の通信情報は、データ送信機１００、およびデータ受信機１１０に知られている。
【００５９】
データ送信機１００は、個々の通信情報を用いている間に、個々の同期シーケンスを生成し、そして、データ受信機１１０の中のデータパケット１２０を同期させるために、個々の同期シーケンスを伴って送信し、そして、データパケット１２０をデータ受信機１１０に送信するように構成されている。
【００６０】
データ受信機１１０は、通信情報を用いている間に、個々の参考同期シーケンスを生成し、そして、受信データストリーム、および、受信データバッファの中の個々の参考同期シーケンスを用いている間に受信するために、データパケット１２０を検出するように構成されている。
【００６１】
例えば、個々の通信情報は、個々の通信情報は、データ送信機１００、およびデータ受信機１１０との間の通信のために個別でもよい。したがって、個々の通信情報は、例えば、別のデータ送信機、または、データ受信機、または、中央制御装置のような、通信システムの別の装置によって、個別に、データ送信機１００、およびデータ受信機に割り当てられてもよい。個々の通信情報は、データ送信機１００とデータパケット１２０に関するデータ受信機との間の通信、例えば、データ送信機１００とデータ受信機１１０（または、データ受信機のグループ（および別のデータ送信機１００、または、別のデータ受信機（または、別のデータ受信機のグループ）を伴う通信のためではなく））との間の通信のためだけに、個別であってもよい。したがって、個々の情報は、データ送信機１００、およびデータ受信機１１０（または、別のデータ受信機のグループ）だけに知られることは可能である。
【００６２】
データ送信機１００、およびデータ受信機１１０は、個々の通信情報を用いている間（例えば、同じアルゴリズム、または、同じマッピング、または、同じ抽出ルールを用いている間）に、個々の同期シーケンス、または、個々の参考同期シーケンスを生成してもよい。それによって、個々の同期シーケンス、および、個々の参考同期シーケンスは同じである。例えば、データ受信機１１０は、したがって、個々の参考同期シーケンスを伴う受信したデータストリームを訂正することによって、受信したデータストリームの中の個々の同期シーケンス（および、従って、データパケット１２０）を検出（または、発見）してもよい。
【００６３】
個々の同期シーケンスを通じて、個々の同期シーケンスから、データ受信機１１０は、データ送信機１００から処理に取り掛かられた（または、選択された、または、対処された）かどうかを決定している間に、データ受信機１１０は、データ送信機１００に処理に取り掛かられ（または、選択され、または、対処され）てもよい。
【００６４】
図１に示す、典型的な図では、データ送信機１００は、データパケット１２０を送信するように構成された送信装置（または、送信モジュール、または、送信機）１０２を有している。送信装置１０２は、データ送信機１００のアンテナ１０４と接続されていてもよい。データ送信機１００は、さらに、データパケットを受信するように構成された受信装置（または、受信モジュール、または、受信機）１０６を含んでいてもよい。受信装置１０６は、アンテナ１０４、または、送信機１００のさらなる（分離した）アンテナと接続されていてもよい。データ送信機１００は、また、組み合わされた送信機／受信機（トランシ−バ−）を有していてもよい。
【００６５】
受信装置１１０は、データパケット１２０を受信するように構成された受信装置（または、受信モジュール、または、受信機）１１６を含んでいてもよい。受信装置１１６は、データ受信機１１０のアンテナ１１４と接続されていてもよい。さらに、データ受信機１１０は、データパケットを送信するように構成された送信装置（または、送信モジュール、または、送信機）１１２を含んでいてもよい。送信装置１１２は、アンテナ１１４、または、さらなる（分離した）アンテナと接続されていてもよい。データ受信機１１０は、また、組み合わされた送信機／受信機（トランシ−バ−）を有していてもよい。
【００６６】
実施の形態では、データ受信機１１０がデータ基地局であってもよい間は、データ受信機１１０は、センサノード（ｎｏｄｅ）であってもよい。一般的には、通信システムは、少なくとも、１つのデータ受信機１１０（基地局）と、および、複数のデータ送信機（暖房メータのような、センサノード）と、を備えている。もちろん、データ受信機１１０がセンサノードである間には、データ送信機１００は、基地局であることが可能である。さらに、データ送信機１００、およびデータ受信機１１０の両方がセンサノードであることが可能である。これに加えて、データ送信機１００、およびデータ受信機１１０の両方が基地局であることが可能である。
【００６７】
電信分裂方法を用いている間には、データ送信機１００、およびデータ受信機１１０は任意に、データパケット１２０を送信、または、受信するように構成されていてもよい。それによって、データパケット１２０は、複数のサブデータパケット（または、部分的なパケット）に分割され、そして、サブデータパケットは、送信機から受信機に、時間に割り振る方法、そして／あるいは、周波数に割り振る方法で、送信され、データ受信機は、データパケット１２０を得るために、再構成される（または、組み合わされる）。それぞれのデータパケットは、それによって、データパケット１２０の部分だけを含む。データパケット１２０は、チャネルコード化されていてもよく、データパケットの誤りがない複号のためには、すべてのサブデータパケットではなく、いくつかのデータパケットが必要とされる。
【００６８】
サブデータパケットの大部分の時間的な割り振りは、時間ホッピングパターンに従って、行われてもよい。時間ホッピングパターンは、送信されたサブデータパケットを伴う送信時間のシーケンス、または、送信時間間隔を指定してもよい。例えば、第１のサブデータパケットは、第１の送信時間（または、第１のタイムスロット内）に送信されてもよく、そして、第２のサブデータパケットは、第２の送信時間（または、第２のタイムスロット内）に送信されてもよく、第１の送信時間と第２の送信時間は異なっている。あるいは、時間ホッピングパターンは、第１の送信時間、および第１の送信時間と第２の送信時間との間の時間間隔を指定してもよい。もちろん、時間ホッピングパターンは、第１の時点、および第２の送信時間との間の時間間隔だけを指定してもよい。これは、送信が起きていない間には、サブデータパケットの間の送信は中断してもよい。サブデータパケットは、また、時間内に重なってもよい（同時に起きる）。
【００６９】
サブデータパケットの大部分の周波数への割り振りは、周波数ホッピングパターンに従って行われてもよい。周波数ホッピングパターンは、シーケンスの送信周波数、または、サブデータパケットの送信を伴う送信周波数のフープ（ｈｏｏｐｓ）を特定してもよい。例えば、第１のサブデータパケットは、第１の送信周波数（または、第１の周波数チャンネルで）送信されてもよく、そして、第２のサブデータパケットは、第２の送信周波数（または、第２の周波数チャンネルで）送信されてもよく、第１の送信周波数と第２の送信周波数は異なる。周波数ホッピングパターンは、第１の送信周波数、および第２の送信周波数で定義（または、表示、または、特定）している。代わりに、周波数ホッピングパターンは、また、第１の送信周波数、および、第１の送信周波数と第２の送信周波数との間の間隔を特定してもよい。もちろん、周波数ホッピングパターンは、第１の送信周波数と第２の送信周波数との間の間隔だけを特定してもよい。
【００７０】
サブデータパケットの大部分は、また、データ送信機１００からデータ受信機１１０まで、時間、および周波数に割り振る方法で送信されてもよい。時間、および周波数の中でのサブデータパケットの大部分の割り振りは、時間、および周波数ホッピングパターンに従って行ってもよい。時間、および周波数ホッピングパターンは、時間ホッピングパターン、および周波数ホッピングパターンの組み合わせ、言い換えれば、例えば、サブデータパケットが送信されたシーケンスの送信時間、および送信時間間隔であってもよく、送信周波数（または、送信周波数フープ）は、送信時間（または、送信時間間隔）に割り当てられる。
【００７１】
複数のサブデータパケットの送信のために用いられる時間、そして／あるいは、周波数ホッピングパターンは、個々の通信情報を用いている間に、データ送信機１００、およびデータ受信機１１０によって、生成してもよい。したがって、また、時間、そして／あるいは、周波数ホッピングパターンは、個々の時間、そして／あるいは、周波数ホッピングパターンで用いられ、言い換えれば、データ送信機１００とデータ受信機１１０の間の通信のために個々、または、データパケット１２０のために個々であってもよい。
【００７２】
図２には、時間、および周波数ホッピングパターンに従って、複数のサブデータパケット１４２を送信している間の送信チャンネルの占有の図表が示されている。
【００７３】
図２に示すように、データパケット１２０は、模範的には、ｎ＝７サブデータパケットに分割され、および時間、および周波数に割り振られた時間、および周波数ホッピングパターンに従って、データ送信機１００からデータ受信機１１０に送信されてもよい。
【００７４】
図２でさらに見られるように、個々の同期シーケンス１４４は、また、複数のサブデータパケット１４２に分割されてもよく、それによって、複数のサブデータパケット１４２は、それぞれ、個々の同期シーケンス（図２の同期シンボル）１４４の部分、これに加えて、データ（図２のデータシンボル）１４６を含む。
【００７５】
以下には、より詳細に、データ送信機１００、およびデータ受信機１１０の詳細な実施の形態が記述される。電信分割方法を用いることは、まったく任意であり、言い換えれば、データパケット１２０は、両方に直接（または、１つの部分、または、全体で）、同様に、サブデータパケット１４２の多数の上に割り当てられたデータ送信機１００、およびデータ受信機１１０の間で送信されてもよい。
【００７６】
第１の詳細な実施の形態
【００７７】
個々の同期シーケンスを伴うデータパケット１２０は、状態、または、事象を確認するために、データ送信機１００によって放射された確認メッセージであってもよい。
【００７８】
実際に、個々の同期シーケンスは、データ送信機１００、およびデータ受信機１１０との間の通信のために、個別であり、データ受信機１１０には、データパケット１２０がデータ受信機１１０から実際に放射されていると確信されてもよい。
【００７９】
例えば、データ送信機１００は、前のデータパケット（＝事象）の受信に成功したことに応答して、個々の同期シーケンスを伴うデータパケット１２０を放射するように構成されていてもよい。個々の同期シーケンスを伴うデータパケット１２０は、したがって、データ送信機１００が先のデータパケットの受信の成功を確認することを伴う、個々のデータパケットのための確認メッセージであってもよい。この例は、図３に関連して、さらに以下で説明される。
【００８０】
図３には、実施の形態に従った、データ送信機１００（サブキャリアＡ）とデータ受信機１１０（サブキャリアＢ）との間の通信シーケンスの概略図が示されている。それによって、データ送信機１００、およびデータ受信機１１０は、送受信機であると推測される。
【００８１】
第１の段階では、発信者Ａ１１０は、発信者Ｂ１００に、メッセージ（例えば、データパケット）１２２を送信する。第２の段階では、発信者Ｂ１００は、発信者Ａ１１０に、確認メッセージ（＝個々の同期シーケンスを伴うデータパケット１２０）を送信する。確認メッセージで、発信者Ｂ１００は、メッセージ１２２の受信を確認する。任意に、発信者Ｂ１００は、発信者Ａ１１０に、確認メッセージとともに、起動メッセージを送信することができる。発信者Ｂ１００は、また、起動メッセージを伴うデータパケット１２０を提供し、起動メッセージは、少なくとも１つのさらなるデータパケットの送信時間、そして／あるいは、少なくとも１つのさらなるデータパケットの構造の情報（例えば、時間、および周波数ホッピングパターン）を指定してもよい。第３の段階では、先行する起動情報に従って、発信者Ｂ１００は、少なくとも１つの任意のメッセージ（例えば、少なくとも１つのさらなるデータパケット）１２４を発信者Ａ１１０に送信してもよい。
【００８２】
実施の形態では、メッセージの認証は、同期シーケンスとリンク（ｌｉｎｋ）している。メッセージの認証は、個々の送信によって行われてもよく、あらかじめデータ受信機１１０に知られており、そして、データ受信機１１０のための同期シーケンスとしての役割を同時に果たすシンボルシーケンスは動的に計算される。したがって、標準的に、または、波形の仕様の中であらかじめ定められた固定された同期シンボルの放射は、低下してもよい。
【００８３】
この方法のアプリケーションのために必要なのは、例えば、現在の送信に先行するデータ送信機１００とデータ受信機１１０の間の通信からの個々の通信情報、両方の発信者に知られた情報に従って、両方の発信者から抽出できる情報、例えば、数字で表した（バイナリー（ｂｉｎａｒｙ））署名、または、ＣＲＣ、または、例えば、ＣＭＡＣのフォームの中の送信されたデータの一部である。この署名からは、適切な手段に従って、同期シーケンスのシンボルが計算されてもよい。
【００８４】
認証された受信の確認に加えて、メッセージは、受信を認識したデータ受信機には、あらかじめ知られていなかったさらなる情報を送信するために任意に用いられてもよい。メッセージのこの部分は、同期シーケンスの区分で、データシーケンスと呼ばれてもよい。
例えば、データ受信機は、データ送信機からの新しいデータの送信を期待できる時点、そして、どれくらいの長さ（例えば、パケットの長さ）、どのような構造、どのようなホッピングパターンであるのか、または、他のパラメータを知ることができて、新しいデータの送信は、それによって、もし必要があれば、活動中止の後に、適切な時点で、受付準備に戻ることができる。
【００８５】
第２の詳細な実施の形態
【００８６】
受信の確認の認証は、１つ、または、１つ以上の関連するサブデータパケット（“電信分裂”）１４２から成るメッセージの形式で送信されてもよい（図２を見てください）。電信分裂の任意の場合として、データパケット１４２の発射は、割り当てられた値“送信時間”、そして／あるいは、“送信周波数”に従って、行われてもよい。
【００８７】
データパケット１２０（メッセージ）は、２つの基本的に区別できるシンボルタイプを含んでいてもよい。同期シーケンスは、あらかじめデータ受信機１１０に知られており、そして、データシンボルは、あらかじめデータ受信機１１０には知られてはいない。互いに関連している上記のシンボルの正確な配列は、例えば、シンボルブロックの形式の中では、無意味である。図４ａから４ｄには、データパケット（メッセージ）の構造、または、データパケットのサブデータパケット１４２のためのいくつかのオプション（ｏｐｔｉｏｎｓ）が代表的に説明されている。多数のさらなる配列、特に、また、同期、およびシンボルの絡み合いが考えられる。電信分裂の場合には、メッセージのそれぞれのサブデータパケット１４２は、異なる同期シーケンスを含んでいてもよい。これは有利ではあるが、義務的ではない。
【００８８】
詳細には、図４ａには、同期シンボル１４４を伴うブロックは、データシンボル１４６を伴うブロックよりも先行している中で、データパケット１２０、または、サブデータパケット１４２の中の同期シンボル１４４、およびデータシンボル１４６の第１の概略図が示されている。
【００８９】
図４ｂには、データシンボル１４６のブロックは、２つの同期シンボル１４４（分割同期シーケンス）のブロックの間に配列されている中で、データパケット１２０、または、サブデータパケット１４２の中の同期シンボル１４４、およびデータシンボル１４６の第２の配列の概略図が示されている。
【００９０】
図４ｃには、同期シンボル１４４のブロックは、２つのデータシンボル１４６のブロックの間に配列されている中で、データパケット１２０、または、サブデータパケット１４２の中の同期シンボル１４４、およびデータシンボル１４６の第３の配列の概略図が示されている。
【００９１】
図４ｄには、サブデータパケットの中に、データシンボル１４６のブロック、および同期シンボル１４４のブロックは、交互に配列されている中で、データパケット１２０、または、サブデータパケット１４２の中の同期シンボル１４４、およびデータシンボル１４６の第３の配列の概略図が示されている。
【００９２】
受信（個々の同期シーケンス）の確認の認証の同期シンボルは、データ送信機１００の中、およびデータ受信機１１０の中で、均一に知られていてもよい。同期シンボルの計算は、データ送信機１００の中、およびデータ受信機１１０の中、例えば、ＣＭＡＣの形式の中で、知られている個々の通信情報（例えば、数字で表した署名）を基礎にして行われてもよい。原理は、図５で説明されている。
【００９３】
図５には、フローチャートの中に同期シンボルを生成するための方法２００が示されている。第１の段階２０２では、個々の通信情報は、例えば、データ送信機１００、データ受信機１１０、または、別のデータ送信機、または、データ受信機、または、中央制御装置のような、通信システムの別のサブキャリアによって提供される。第２の段階、２０４では、個々の同期シーケンス（または、個々の同期シーケンスのシンボルの全体）を得るために、マッピングルールは、個々の通信情報に適用される。第３の段階２０６では、個々の同期シーケンスは、データパケット１２０に割り当てられ、または、任意に、図５に代表的に示されているように、データシンボル１４６のブロック、および同期シンボル１４４を伴うサブデータパケットによって、図５に代表的に示されているように、複数のサブデータパケット１４２の間で分割されていてもよい。
【００９４】
言い換えれば、出発点は、個々の通信情報（例えば、長さＭビットの時間ごとに変化する数字で表した署名（例えば、ＣＭＡＣ））である。ここから、長さＮシンボルのシーケンスは、適切なマッピングルールで生成されてもよい。割り当てルールの手段によって、Ｎシンボルは、データパケット１２０、または、サブデータパケット１４２のメッセージが利用できる同期領域にマップされてもよい。
【００９５】
同期シンボルの署名の長さ、そして、数、そして、変調によると、マッピングルールは、情報理論的な見解から、原理として、数字で表した署名に冗長性を導入して、そして、署名を含む情報を減少させることができる。妨害された無線チャンネルを経由する通信の場合には、しかしながら、冗長性は、１つ、または、１つ以上の同期シンボルが喪失した通信の場合でも、データ受信機１１０で復元、および確認できるようにするために、マッピングルールによって、好ましい方法で導入されてもよい。これは、例えば、一般的な折り畳み、または、ターボ・コード（ｔｕｒｂｏ  ｃｏｄｅｓ）を基礎にしたＦＥＣコーディング（ｃｏｄｉｎｇ）（ＦＥＣ＝ｆｏｒｗａｒｄ  ｅｒｒｏｒ  ｃｏｒｒｅｃｔｉｏｎ）によって、先行技術に従った、妨害された無線チャンネルを経由するデータ送信のために用いられて、行われてもよい。
【００９６】
マッピングルールの適切な選択は、署名の長さ、利用可能な同期シンボルの数、そして／あるいは、署名の望ましい通信セキュリティによって、主に決定される。
【００９７】
個々の通信情報と同様に、マッピングルールは、データ送信機、およびデータ受信機にも知られてもよい。
【００９８】
データパケット１２０は、任意にサブデータパケット１４２の大部分の間で分割されている限りにおいて、サブデータパケット１４２への同期シンボルの割り当ては、単放射マッピング（または、割り当て）であってもよい。情報は加えられないか、減らされない。言い換えれば、それは、サブデータパケットの同期領域に割り振られてもよい同期シンボルの手段による全単射マッピングルールであってもよい。
【００９９】
実施の形態では、個々の通信情報（例えば、適切な長さの数字で表した署名）は、データ送信機側、または、データ受信機側で生成され、そして、データ送信機、およびデータ受信機との間で交換されされてもよい。できる限り、安全な認証を準備するために、例えば、十分な長さの動的な（時間ごとに変化する）署名が選択されてもよい。このためには、例えば、ＣＭＡＣが適する。
【０１００】
データ送信機側（または、波形側）では、個々の同期シーケンス（例えば、同期シンボルシーケンス）は、マッピングルールの助けを伴った個々の通信情報（例えば、上述の署名）から形成されてもよく、そして、もし、電信分裂が用いられると、サブデータパケット１４２に割り当てられる。
【０１０１】
データ受信機側（デコーダー（ｄｅｃｏｄｅｒ）側）では、個々の同期シーケンスは、マッピングルールの支援を伴った個々の通信情報（例えば、上述の署名）から形成されてもよく、そして、もし、電信分裂が用いられると、サブデータパケット１４２に割り当てられる。時間内に受信されたメッセージの同期、位相、サンプリング位相、周波数、そして／あるいは、チャンネル推定は、個々の同期シーケンスを基礎にして行われてもよい。
受信されたメッセージの認証は、受信された信号から送信された個々の通信情報（例えば、数字で表した署名）を取り戻すことによって、さらに行われてもよい。これはデータ受信機では知られているが、それは、受信された個々の同期シーケンスの復調、そして、逆のマッピングルール（例えば、復号することによる）のアプリケーションによって、追加的に、確かめられてもよい。期待されていないこと（“演繹的な知識”）は、知られているシーケンスに関連して推測される。
【０１０２】
第３の詳細な実施の形態
【０１０３】
データ送信機１００は、個々の同期シーケンスを伴うデータパケットを繰り返し送信するように構成されており、このため、受信の確認は繰り返される。
【０１０４】
例えば、受信の確認の認証は、同一の内容、言い換えれば、同一の送信シンボルを伴うＫ分割（Ｋ‐ｆｏｌｄ）を送信してもよい。Ｋは、一般的には、１よりも大きい整数値である。反復の数は、一定のパラメータとして指定されてもよく、または、状況に従って、（動的な受信の数）を基本にしたケース・バイ・ケース（ｃａｓｅ−ｂｙ−ｃａｓｅ）でデータ送信機によって、再定義されてもよい。限定された送信時間（占有されるデューティ比）、または、データ送信機、およびデータ受信機との間の無線接続品質の評価は、繰り返しの数の動的な定義のための基礎の役割を果たしてもよい。
【０１０５】
劣悪な受信状態の状況では、繰り返しは、データ受信機に対処されている誤りを除いて、評価（解読）されてもよい受信の確認の確立が増加する役割を果たしてもよい。良好な受信状態の状況の場合には、データ受信機は、Ｋに受信された送信よりも少なくなった後の誤りを除いた認証された受信の確認を評価してもよく、したがって、通常よりも早く、受信モジュールはシャットダウン（ｓｈｕｔ  ｄｏｗｎ）される。この受信機のシャットダウンは、潜在的に、電力消費量を減少させて、そして、それは、電池式装置の寿命を増やす。
【０１０６】
もし、認証された受信の確認が、サブデータパケットの形式で送信されると、それぞれのサブデータパケットは、それに応じて、繰り返しの間に、再送信される。すべてのサブデータパケットの送信時間は、データ受信機に知られる。
【０１０７】
実施の形態では、認証された受信の確認は、例えば、データ送信側（または、波形側）で、同一の内容、言い換えれば、同一の送信シンボルを伴って、何回か送信されてもよい。電信分裂が用いられている限りにおいて、データパケット１２０（＝受信確認）が繰り返されている時には、繰り返されたサブデータパケット１４２は、同一の時間／周波数グリッド（ｇｒｉｄ）の中では、必ずしも送信しなくてもよい、しかし、可能な時間、および周波数のリソース（ｒｅｓｏｕｒｃｅｓ）の中で、異なる方法で送信されてもよい。これは、受信は、分離された時間、および周波数のリソースを用いている間の、第１の送信を伴う並行、または、部分的に重なった時間だけではなく、第１の送信の後に、必ずしも起きなくてもよい場合を含む。もし、受信の数が動的に計測されていれば、データ送信機、およびデータ受信機の間の無線リンク品質、そして／あるいは、最大送信活動（“デュ−ディ周期”）の指定を伴う適合性は、基準としての役割を果たしてもよい。
【０１０８】
実施の形態では、試みは、認証された受信（例えば、復号による）の確認を評価するためのそれぞれの放射活動の後に、データ受信側（デコーダー側）で創造されてもよい。成功の事象が生じた場合には、データ受信機は、認証された受信の確認のその後の繰り返しに関しては、機能を停止してもよい。もし、それぞれの送信／放射の後に、成功の評価が達成できなければ、受信機は、すでに送られている情報内容を貯めてもよい。これは、いわゆる、“ソフト・ビット・組み合わせ（ｓｏｆｔ  ｂｉｔ  ｃｏｍｂｉｎｉｎｇ）”によって行われてもよい。
【０１０９】
第４の詳細な実施の形態
【０１１０】
データ送信機１００は、データ送信機１００によって送信される少なくとも１つのさらなるデータパケットに関する追加の起動情報を伴うデータパケット１２０を提供してもよい。データ送信機１００は、未来のデータパケット（または、メッセージ）のためのさらなる情報を送信するために、データパケット１２０を用いてもよい。
【０１１１】
したがって、データ送信機１００は、少なくとも１つのさらなるデータパケット１２４を受信するためのデータ受信機１１０を準備するために、追加の起動情報を伴う先のデータパケットの受信の成功を確認するデータ送信機１００の手段によって、個々の同期シーケンスは確認メッセージ（または、受信の確認）であってもよい個々の同期シーケンスと、を備えたデータパケット１２０を提供してもよい。起動情報は、少なくとも１つのさらなるデータパケットの送信時間、そして／あるいは、少なくとも１つのさらなるデータパケットの構造の情報（例えば、時間、そして／あるいは、周波数ホッピングパターン、長さ）であってもよい。
【０１１２】
例えば、これに加えて、実際の受信の確認（時間的に先行する送信）で、データ送信機１００は、また、データパケット１２０（＝受信の確認）の送信の後に、データ送信機１００が実行するさらに計画されたメッセージの送信のためのデータ受信機１１０を準備するために、同じことを用いてもよい。例えば、これは、構造、範囲／幅、および予定されたメッセージの送信時間に関する情報であってもよい。前記情報の手助けを伴って、受信の確認が認証されたデータ受信機１１０は、特に、未来のメッセージ、または、データ送信機１００のいくつかの未来のメッセージを受信する準備をしてもよい。
【０１１３】
この測定を伴って、例えば、未来のメッセージの未来の送信時間の送信で、データ受信機１１０は、送信時間が計画されるまで、その受信の準備をしなくてもよく、これによって、エネルギーを節約する。
【０１１４】
さらに、時間に関して、基本的に非同期である多くのデータ受信機を伴うシステムでは、この測定は、一般的なメッセージ（“ブロードキャスト（ｂｒｏａｄｃａｓｔ）”モード）を受信するためにいくつかのデータ受信機は、時間的に同等であることを可能にして、このように、受信に関する部分的な同期動作を達成する。
【０１１５】
さらなる情報は、任意に、これに加えて、暗号で保護されていてもよく、上述された数字で表した署名からはずれたシーケンスは基礎にされてもよい。
【０１１６】
実施の形態では、追加の情報は、データ受信機１１０の構造、範囲／幅、および未来のさらなるメッセージが送信された（受信の確認の発信者による）の送信時間に関連するパラメータを知らせる認証された受信の確認のフレームワーク（ｆｒａｍｅｗｏｒｋ）の中のデータ送信側（または、波形側）で送信されてもよい。もし、送信がシステムの中で、（“ブロードキャスト”モード（ｐｏｉｎｔ−ｔｏ−ｍｕｌｔｉｐｏｉｎｔ））で提供されていたら、すべての影響を受けたデータ受信機の受信を準備するための一時的な準備が実行されてもよい。
【０１１７】
実施の形態では、データ受信機側（デコーダー側）は、上記の情報の抽出の後にデータ送信機１００（または、発信者）の期待された未来のメッセージのために、データ受信機１１０を準備してもよい。さらに、データ受信機（または、部品）は、エネルギーを節約するために、新しいメッセージが発表される時間まで、動作を停止してもよい。
【０１１８】
第５の詳細な実施の形態
【０１１９】
メッセージ（電信）の送信は、無線チャンネルリソース“送信時間”、そして／あるいは、“送信周波数”の上に分配された、いくつかのサブデータパケット１４２の形式で行われてもよい。以下に述べられている実施の形態の必要条件は、メッセージは、少なくとも２つのサブデータパケット１４２の形式で送信され、そして、異なる時間、そして／あるいは、周波数リソースは、サブデータパケット１４２の送信、または、少なくとも２つの異なる時間、そして／あるいは、周波数リソースのために、すぐに利用可能であることである。
【０１２０】
図６には、時間、および周波数で配布された複数のサブデータパケット１４２の手段による、データパケットの送信の間に、送信チャンネルを占有しているダイヤグラムが示されている。言い換えれば、図６には、時間、および周波数で、いくつかのサブデータパケット１４２の上のメッセージの分割が示されている。縦座標には、周波数が記述されており、横座標は時間である。
【０１２１】
メッセージのサブデータパケット１４２の配置は、ホッピングパターンとして記述されていてもよい。ホッピングパターンを割り当てる時には、データ送信機１００（メッセージの発信者）は、一般的に、システム開発の限界の範囲内で、大きな自由度を有する。ホッピングパターンに適用される必要条件は、データ受信機１１０に知られており、または、データが受信される前に決定されてもよい。
【０１２２】
個々の同期シーケンス（＝認証された受信の確認）を伴うデータパケット１２０に関して、ホッピングパターンは、第２の詳細な実施の形態で用いられている同じ個々の通信情報（例えば、数字で表した署名（例えば、ＣＭＡＣ））を基礎にして、動的に選ばれていてもよい。
【０１２３】
図７には、時間、および周波数ホッピングパターンを生成するための方法２２０のフローチャートが示されている。第１の段階２２２では、個々の通信情報（例えば、Ｍビットの長さの数字で表した署名、図５参照）は、提供されていてもよい。もうすでに、上で述べられたように、個々の通信情報は、別のデータ送信機、別のデータ受信機、または、中央制御装置のような、データ送信機１００、システムのデータ受信機１１０、または、別のサブキャリアによって生成されていてもよい。第２の段階２２４では、マッピングルールは、時間、および周波数ホッピングパターン（送信時間、および送信周波数）を生成するために、個々の通信情報に適用されてもよい。
【０１２４】
このように、図７は、署名からのホッピングパターン（送信時間、および送信周波数）の生成が示されている。例えば、マッピングルールは、それぞれの個々の通信情報（数字で表した署名）からメッセージに属しているすべてのサブデータパケット１４２のために、送信時間、および送信周波数の値を計算することもできる。それぞれの個々の通信情報（署名）の可能性がある部分にとって、送信時間、および送信周波数の異なった選択を導くために、狙いをつけることは、好ましい。マッピングルールは、データ送信機１００、およびデータ受信機１１０に知られることもできる。
【０１２５】
動的の利点として、送信時間、および送信周波数に関するメッセージのサブデータパケットの配置である、署名に従ったホッピングパターンは、アドレスが指定された無線サブキャリア（データ受信機１１０）以外の他のいかなるものにも、知られない。これは、例えば、無線接続（“盗聴”）などのメッセージの妨害をかなり難しくする、さらなる、セキュリティの特徴を表す。さらに、認証されていない（拡張された）送信機によるデータ受信機の操作をより難しくして、無線リンク上の認証されたデータ送信機１００の信号は重なる、または、干渉する。
【０１２６】
実施の形態では、個々の通信情報（例えば、適切な長さの数字で表した署名）は、データ送信側（または、波形側）で生成されて、そして、データ送信機１００とデータ受信機１１０との間で交換される。例えば、個々の通信情報は、ＣＭＡＣ（第２の詳細な実施の形態を見てください）のような、十分な長さの動的な（時間的に変化する）署名であってもよい。適切なマッピングルールに従えば、送信されるサブデータパケットは、送信時間、および送信周波数に関する個々の通信情報（例えば、上述の署名）を基礎に個々に配布されてもよい。
【０１２７】
実施の形態では、データ受信機側（または、デコーダー側）送信時間、および送信周波数は、データ受信機１１０に知られたマッピングルールを用いた個々の通信情報（例えば、上述の署名）から計算されてもよい。データ受信機１１０の受信モジュール（または、受信装置１１６）は、それが検出するように、制御され、あらかじめセットされた周波数のあらかじめセットされた時間で評価される。
【０１２８】
さらに設計された実施の形態
【０１２９】
図８には、実施の形態に従った、データをデータ受信機に送信するための方法２４０のフローチャートが示されている。方法２４０は、データ送信機、およびデータ受信機に知られた個々の通信情報を用いている間に、個々の同期シーケンスを生成するステップ２４２と、を含む。さらに、方法２４０は、データ受信機で、データパケットを同期するための個々の同期シーケンスと、を備えたデータパケットを送信するステップ２４４と、を含む。
【０１３０】
図９には、実施の形態に従った、データ送信機からデータを受信するための方法２６０のフローチャートが示されている。方法２６０は、個々の通信情報を用いている間に、個々の参考同期シーケンスを生成するステップと、を含む。さらに、方法２６０は、個々の参考同期シーケンスを用いている間に、受信するデータストリーム、または、受信するデータバッファの中のデータパケットを検出するステップ２４６と、を含む。さらに、方法２６０は、検出されたデータパケットを受信するステップ２６６と、を含む。
【０１３１】
データ送信機、データ受信機、そして／あるいは、多くのセンサノードから基地局、または、１つ、あるいは、１つ以上の基地局から１つ、あるいは、１つ以上のセンサノードへの別の方向に双方向で送信するためのシステムは、実施の形態と関連する。
【０１３２】
実施の形態は、認証形式（“Ａｃｋｎｏｗｌｅｄｇｅ”）の中で、データ受信機によって確認されたメッセージの受信の成功で、そして、確証メッセージに続く別々のメッセージを伴うさらなるデータの任意の放射のための受信の確認を伴うオリジナル（ｏｒｉｇｉｎａｌ）メッセージを送信するために、関連した情報を同時に進めるデータレシーバでの送信の種類である。
【０１３３】
実施の形態では、発信者Ａから発信者Ｂまで送信されたメッセージの受信の成功は、確認されてもよい。いくつかの実施の形態は、発信者Ｂによる認証された受信の確認を参照する（図３参照）。
【０１３４】
実施の形態では、確認メッセージ（例えば、発信者Ｂから発信者Ａ）は、周波数、位相で同期シーケンスを発すること、およびチャンネル推定、システムの中で、アドレスが指定されたデータ受信機（発信者Ａ）、これに加えて、データ送信器（発信者Ｂ）にだけ、知られた内容によって認証されてもよい。
【０１３５】
実施の形態では、上記の同期シーケンスは、データ送信器（発信者Ｂ）とデータ受信機（発信者Ａ）の両方に知られた数字で表した署名を基礎にして、抽出／計算されてもよい。
【０１３６】
実施の形態では、認証された確認メッセージの全体は、送信の成功の可能性を高めるために、１つ、または、１つ以上、繰り返されてもよい。認証された確認メッセージは、その繰り返しですらなくてもメッセージの完全な受信が可能なように、メッセージは構成されてもよい。
【０１３７】
実施の形態では、さらなる情報は、特に、発信者Ｂによる任意の未来のメッセージ送信の時間、および長さについて発信者Ａに送信された情報である確認メッセージとともに送信されてもよく、発信者Ａは、具体的な予定の時間に、その受信モジュールを起動してもよい。
【０１３８】
実施の形態では、データ送信機は、認証された先行して受信したメッセージの受信の確認を送信するように構成されていてもよい。
【０１３９】
実施の形態では、新しい確認メッセージは、送信する必要がないので、先行するメッセージ（例えば、データ送信機、およびデータ受信機にのみ知られている）からの認証情報を用いている間に、データの削減が実行されてもよい。
【０１４０】
実施の形態では、認証情報は、先行する情報に基づいた暗号化されたメッセージであってもよい。例えば、認証情報は、先のメッセージに基づいたＣＭＡＣでもよい。
【０１４１】
実施の形態では、認証情報は、先行するメッセージの暗号化された部分からの情報であってもよい。
【０１４２】
実施の形態では、同期シーケンスは、先行するメッセージのデータからのみ生成されていてもよく、言い換えれば、同期シーケンスは、“割り当てられて”いなくてもよい。
【０１４３】
実施の形態では、同期シンボルは、マッピングルールによって、認証情報から生成されていてもよい。
【０１４４】
マッピングルールは、ＦＥＣ（例えば、ハミング符号（Ｈａｍｍｉｎｇ−Ｃｏｄｅ）、畳み込み符号（Ｃｏｎｖｏｌｕｔｉｏｎａｌ−Ｃｏｄｅ））に基づいていてもよい。例えば、知られた認証情報は、ＦＥＣデータとともに提示されてもよく、いくつかの生成されたデータは、認証情報だけによって定義されてもよい。
【０１４５】
例えば、認証情報の部分のみは、同期シンボルを生成するために用いられてもよい。
【０１４６】
実施の形態では、認証された受信の確認に加えて、以下の（サブ）データパケット（長さ、ホッピングパターン、・・・）についての情報は、パケットで送信されてもよい。
【０１４７】
いくつかの実施例は、装置の環境の範囲内で記述されてきており、前記実施例は、また、一致する方法の記述として表現されたことは理解できた、そのため、装置のブロック、または、構造構成要素も、また、一致する方法のステップとして、または、方法のステップの特徴として理解できた。類似的に、それとともに、実施例は、結合、または、対応する装置の対応するブロック、または、詳細、または、特徴として、記述されて表現されている。いくつか、または、すべての方法ステップは、例えば、マイクロプロセッサ、プログラム可能なコンピュータ、または、電子回路のようなハードウエア装置（または、ハードウエア装置を用いている間に）によって実行されてもよい。いくつかの実施の形態、最も重要な方法のステップのいくつか、または、それぞれは、そのような装置によって実行されてもよい。
【０１４８】
特定の実施例の必要性によると、発明の実施の形態は、ハードウエア、または、ソフトウェアで実施されてもよい。実施は、協働する、または、それぞれの方法が実行されるプログラム可能なコンピュータと協働して格納されたコンピュータで読み取り可能な制御信号が格納されたフロッピーディスク、ＤＶＤ、ＣＤ、ＲＯＭ、ＰＲＯＭ、ＥＰＲＯＭ、ＥＥＰＲＯＭ、または、ＦＬＡＳＨメモリ、ハードディスクどのような他の磁気的、または、光学的なメモリを用いている間に達成されてもよい。そういうわけで、デジタル格納媒体は、コンピュータで読み取り可能であってもよい。
【０１４９】
発明に係るいくつかの実施の態様は、ここに述べられたどのような方法であっても実行されるプログラム可能なコンピュータシステムと協働することができる読み取り可能な制御信号を有するデータキャリアと、を備えている。
【０１５０】
一般的に、本発明の実施の形態は、プログラムコードを有するコンピュータプログラム製品として実施することが可能であり、コンピュータプログラム製品がコンピュータで動いているときには、いくつかの方法を実行するために、効果的なプログラムコードを有するコンピュータプログラム製品として実施されている。
【０１５１】
プログラムコードは、また、例えば、機械で読み取り可能なキャリアに格納されていてもよい。
【０１５２】
他の実施の形態では、機械で読み取り可能なキャリアに格納された、ここに記述された方法のうちのいくつかを実行するための前記コンピュータプログラムと、を備えている。
【０１５３】
他の言い方をすれば、発明の実施の形態の方法は、したがって、コンピュータプログラムがコンピュータで動いているときには、ここに記述された方法のうちのいくつかを実行するためのプログラムコードを有するコンピュータプログラムである。
【０１５４】
発明のさらなる実施の形態の方法は、すなわち、ここに記述されたいくつかの方法を実行するためのコンピュータプログラム上のデータキャリア（または、ディジタル格納メディア、または、コンピュータ読み取り可能なメディア）である。データキャリア、ディジタル格納媒体、または、コンピュータで読み取り可能なメディアは、一般的には、具体的であり、そして／あるいは、一時的ではなく、そして／あるいは、瞬間的ではない。
【０１５５】
発明のさらなる実施の形態の方法は、すなわち、ここに記述されたどのような方法をも実行するためのコンピュータプログラムを示す、信号のデータストリーム、または、シーケンスである。信号のデータストリーム、または、シーケンスは、例えば、インターネットを経由するような、例えば、データ通信接続を経由して送信されるように構成されていてもよい。
【０１５６】
さらなる実施の形態は、処理手段、例えば、ここに記述されたどのような方法をも実行するように構成された、または、適応される、コンピュータ、または、プログラム可能な論理装置と、を備えている。
【０１５７】
さらなる実施の形態は、ここに記述されたどのような方法をも実行するためプログラムがインストールされたコンピュータと、を備えている。
【０１５８】
発明に係るさらなる実施の形態は、ここに記述された方法の少なくとも１つを受信機で実行するためのコンピュータプログラムを送信するように構成された装置、または、システムと、を含む。送信は、例えば、電気的でも光学的でもよい。受信機は、例えば、コンピュータ、モバイル装置、メモリ装置、または、類似した装置であってもよい。装置、または、システムは、例えば、コンピュータプログラムを受信機に送信するためのファイルサーバと、を含んでいてもよい。
【０１５９】
いくつかの実施の態様では、プログラム可能な論理装置（例えば、フィールド・プログラブル・ゲート・アレイ（ｆｉｅｌｄ  ｐｒｏｇｒａｍｍａｂｌｅ  ｇａｔｅ  ａｒｒａｙ  ａｎ  ＦＰＧＡ））は、ここに述べられた方法の機能のいくつか、または、すべてを実行するために用いられていてもよい。いくつかの実施の態様では、フィールド・プログラブル・ゲート・アレイは、ここに述べられたどのような方法をも実行するために、マイクロプロセッサ（ｍｉｃｒｏｐｒｏｃｅｓｓｏｒ）と協働してもよい。一般的には、方法は、いくつかの実施の態様の中で、どのようなハードウエア機器によっても、実施される。前記ハードウエア装置は、コンピュータプロセッサ（ＣＰＵ）、または、グラフィックカード（ＧＰＵ）のような一般的に適用可能なハードウエアであってもよく、または、ＡＳＩＣのような、方法に特有なハードウエアであってもよい。
【０１６０】
ここで述べられた装置は、例えば、ハードウエア機器を用いている間、または、コンピュータを用いている間、または、ハードウェア機器とコンピュータを組み合わせて用いている間に実施されてもよい。
【０１６１】
ここに述べられた装置、または、ここに述べられた装置の構成要素のどれでも、少なくとも部分的に、ハードウェアの中で、または、ソフトウェア（コンピュータプログラム）の中で実施されてもよい。
【０１６２】
ここで述べられた方法は、例えば、ハードウエア機器を用いている間、または、コンピュータを用いている間、または、ハードウェア機器とコンピュータを組み合わせて用いている間に実施されてもよい。
【０１６３】
ここに述べられた方法、または、ここに述べられた装置の構成要素のどれでも少なくとも部分的に、ハードウェアの中で、または、ソフトウェア（コンピュータプログラム）の中で遂行されてもよい。
【０１６４】
以上に記述された実施の形態は、本発明の原理を説明するための具体例を単に表したものである。他の当業者は、ここに述べられた配置、および詳細の修正、および変更を高く評価すると理解します。このような理由から、発明は、明細書の手段、および実施の形態の議論によって、ここで示された特定の詳細によってよりも、以下の請求項の範囲によってのみ限定されることを意図する。
【図１】
2020515154.tif 000003
【図２】
2020515154.tif 000004
【図３】
2020515154.tif 000005
【図４ａ】
2020515154.tif 000006
【図４ｂ】
2020515154.tif 000007
【図４ｃ】
2020515154.tif 000008
【図４ｄ】
2020515154.tif 000009
【図５】
2020515154.tif 000010
【図６】
2020515154.tif 000011
【図７】
2020515154.tif 000012
【図８】
2020515154.tif 000013
【図９】
2020515154.tif 000014
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
データ受信機（１１０）にデータを送信するためのデータ送信機（１００）であって、
個々の通信情報は、前記データ送信機（１００）、および前記データ受信機（１１０）に知られるようになっており、前記データ送信機（１００）は、前記個々の通信情報を用いている間に、個々の同期シーケンスを生成するように構成されており、
前記個々の通信情報は、データ送信機を認証する情報、そして／あるいは、前記データ送信機のデータパケット（１２０）を認証する情報であり、
前記個々の通信情報は、前記データ送信機（１００）、そして、前記データ受信機（１１０）、または、限定されたデータ受信機のグループにのみ知られていることを特徴とする、データ送信機（１００）。
【請求項２】
前記データ送信機（１００）は、マッピング仕様を用いている間に、前記個々の通信情報から前記個々の同期シーケンスを生成するように構成されていることを特徴とする、請求項１に記載のデータ送信機（１００）。
【請求項３】
前記データ送信機（１００）は、あらかじめ、前記通信情報を含むデータパケット（１２０）を前記データ受信機（１１０）に送信する、または、あらかじめ、前記データ受信機（１１０）から前記通信情報を受信するように構成されていることを特徴とする、請求項１または請求項２のうちのいずれか１つに記載のデータ送信機（１００）。
【請求項４】
前記データ送信機（１００）は、前記データ受信機（１１０）、そして／あるいは、限定されたデータ受信機のグループにのみ知られた同期シーケンスを伴う前記データパケット（１２０）を提供するように構成されていることを特徴とする、請求項３に記載のデータ送信機（１００）。
【請求項５】
前記データ送信機（１００）は、前記データ受信機（１１０）で、前記データパケット（１２０）を同期させるために、個々の同期シーケンスを伴って送信されたデータパケット（１２０）を提供するように構成されていることを特徴とする、請求項１ないし請求項４のうちのいずれか１つに記載のデータ送信機（１００）。
【請求項６】
前記個々の通信情報は、データ送信機（１００）、およびデータ受信機（１１０）との間の通信のために個別であることを特徴とする、請求項１ないし請求項５のうちのいずれか１つに記載のデータ送信機（１００）。
【請求項７】
前記通信情報は、前記データ送信機（１００）、そして、前記データ受信機（１１０）、または、限定されたデータ受信機のグループだけに知られていることを特徴とする、請求項１ないし請求項６のうちのいずれか１つに記載のデータ送信機（１００）。
【請求項８】
前記データ送信機（１００）は、それぞれのデータパケット、または、特定の時間間隔の後に、前記通信情報を更新することを特徴とする、請求項１ないし請求項７のうちのいずれか１つに記載のデータ送信機（１００）。
【請求項９】
前記通信情報は、署名であることを特徴とする、請求項１ないし請求項８のうちのいずれか１つに記載のデータ送信機（１００）。
【請求項１０】
前記通信情報は、暗号ベースのメッセージ認証コードであることを特徴とする、請求項９に記載のデータ送信機（１００）。
【請求項１１】
前記データ送信機（１００）は、前記データパケット（１２０）を複数のサブデータパケット（１４２）に分割して、そして、時間、そして／あるいは、周波数に割り振られた前記複数のサブデータパケット（１４２）を前記データ受信機（１１０）に送信するように構成されていることを特徴とする、請求項１０に記載のデータ送信機（１００）。
【請求項１２】
前記データ送信機（１００）は、前記データパケット（１２０）を複数のサブデータパケット（１２０）に分割するように構成されており、前記個々の同期シーケンスは、前記複数のサブデータパケット（１４２）に分割されることを特徴とする、請求項１ないし請求項１１のうちのいずれか１つに記載のデータ送信機（１００）。
【請求項１３】
前記データ送信機（１００）は、個々の通信情報を用いている間に、時間、そして／あるいは、周波数に割り振るために、複数のサブデータパケット（１４２）とともに送信される時間ホッピングパターン、そして／あるいは、周波数ホッピングパターンを生成するように構成されていることを特徴とする、請求項１１ないし請求項１２のうちのいずれか１つに記載のデータ送信機（１００）。
【請求項１４】
前記データ送信機（１００）は、前記個々の同期シーケンスを伴う前記データパケット（１２０）を繰り返し送信するように構成されていることを特徴とする、請求項１ないし請求項１３のうちのいずれか１つに記載のデータ送信機（１００）。
【請求項１５】
前記データ送信機（１００）は、前記データパケット（１２０）を複数のサブデータパケット（１４２）に分割して、そして、時間、そして／あるいは、周波数ホッピングパターンに従って、時間、そして／あるいは、周波数で、データ受信機（１１０）に割り振られる複数のサブデータパケット（１４２）を送信するように構成されており、
前記データ送信機（１００）は、個々の同期シーケンスを伴う前記データパケット（１２０）を繰り返し放射している間に、異なる時間、そして／あるいは、周波数ホッピングパターンを用いるように構成されていることを特徴とする、請求項１４に記載のデータ送信機（１００）。
【請求項１６】
前記個々の同期シーケンスを伴う前記データパケット（１２０）は、前記データ送信機（１００）が、先行するデータパケットの正確な受信に応答して送信する個々の同期シーケンスのための確認メッセージであることを特徴とする、請求項１ないし請求項１５のうちのいずれか１つに記載のデータ送信機（１００）。
【請求項１７】
前記データ送信機（１００）は、前記データ送信機（１００）から送信された、少なくとも１つのさらなるデータパケットについての追加の起動情報を伴う前記データパケット（１２０）を提供するように構成されていることを特徴とする、請求項１ないし請求項１６のうちのいずれか１つに記載のデータ送信機（１００）。
【請求項１８】
前記起動情報は、少なくとも１つのさらなるデータパケットの送信時間、または、構造の情報を特定することを特徴とする、請求項１７に記載のデータ送信機（１００）。
【請求項１９】
データパケット（１２０）で、データ送信機（１００）によって送信された、前記データ送信機（１００）からのデータを受信するデータ受信機（１１０）であって、
前記データパケット（１２０）は、前記データ送信機（１００）、および前記データ受信機（１１０）に知られている個々の通信情報を用いている間に生成された、個々の同期シーケンスとともに提供され、前記データ受信機（１１０）は、前記通信情報を用いている間に、個々の参考同期シーケンスを生成し、そして、データストリーム、または、データバッファの受信で前記個々の参考同期シーケンスを用いている間に受信するために、前記データパケット（１２０）を検出するように構成されており、
前記個々の通信情報は、前記データ送信機（１００）、そして／あるいは、前記データ送信機（１００）のデータパケット（１２０）を認証する情報であり、
前記個々の通信情報は、前記データ送信機（１００）、そして、前記データ受信機（１１０）、または、限定されたデータ受信機のグループにのみ知られていることを特徴とする、データ受信機（１１０）。
【請求項２０】
前記データ受信機（１１０）は、あらかじめ、前記データ送信機（１００）から前記通信情報を含むデータパケット（１２０）を受信する、または、あらかじめ、前記データ送信機（１００）に前記通信情報を含むデータパケット（１２０）を送信するように構成されていることを特徴とする、請求項１９に記載のデータ受信機（１１０）。
【請求項２１】
前記データ受信機（１１０）は、前記データ受信機、およびさらなるデータ受信機に知られている参考同期シーケンスを用いている間に、データストリームの受信の中で同期シーケンスとともに提供された前記通信情報を含む前記データパケットを検出するように構成されていることを特徴とする、請求項２０に記載のデータ受信機（１１０）。
【請求項２２】
前記個々の通信情報は、前記データ送信機（１００）と前記データ受信機（１１０）の間の通信のために、個別であることを特徴とする、請求項１９ないし請求項２１のうちのいずれか１つに記載のデータ受信機（１１０）。
【請求項２３】
前記個々の通信情報は、前記データ送信機（１００）、前記データ受信機（１１０）、または、限定された受信機のグループだけに知られていることを特徴とする、請求項１９ないし請求項２２のうちのいずれか１つに記載のデータ受信機（１１０）。
【請求項２４】
前記通信情報は、署名であることを特徴とする、請求項１９ないし請求項２３のうちのいずれか１つに記載のデータ受信機（１１０）。
【請求項２５】
前記通信情報は、暗号ベースのメッセージ認証コードであることを特徴とする、請求項１９ないし請求項２４のうちのいずれか１つに記載のデータ受信機（１１０）。
【請求項２６】
前記データ受信機は、前記参考同期シーケンスを用いている間に、個々の同期シーケンスを伴う前記データパケットを同期させるように構成されていることを特徴とする、請求項１９ないし請求項２５のうちのいずれか１つに記載のデータ受信機（１１０）。
【請求項２７】
前記データ受信機（１１０）は、同期シーケンスを用いている間に、前記データ送信機（１００）と前記データ受信機（１１０）の間のチャンネルを推定するように構成されていることを特徴とする、請求項２６に記載のデータ受信機（１１０）。
【請求項２８】
前記データ受信機（１１０）は、前記受信された個々の同期シーケンスを用いている間に、前記データパケット（１２０）を複号することを特徴とする、請求項１９ないし請求項２７のうちのいずれか１つに記載のデータ受信機（１１０）。
【請求項２９】
前記データ受信機（１１０）は、前記データ送信機（１００）を認証するための前記受信された個々の同期シーケンスを受信している間に、前記データパケット（１２０）の前記データを複号することを特徴とする、請求項２８に記載のデータ受信機（１１０）。
【請求項３０】
前記データ受信機（１１０）は、前記データパケット（１２０）を複号している間に、
複号で知られていないシーケンスとされる前記受信された個々の同期シーケンスを含むように構成されていることを特徴とする、請求項２８または請求項２９のうちのいずれか１つに記載のデータ受信機（１１０）。
【請求項３１】
前記データパケット（１２０）は、複数のサブデータパケット（１４２）に分割されて送信されており、前記複数のサブデータパケットは、時間、そして／あるいは、周波数に割り振られて送信され、
前記データ受信機（１１０）は、前記データパケット（１２０）を得るために、前記複数のサブデータパケット（１４２）を受信し、および組み合わせることを特徴とする、請求項１９ないし請求項３０のうちのいずれか１つに記載のデータ受信機（１１０）。
【請求項３２】
前記複数のサブデータパケット（１４２）は、時間、および、周波数に割り振るために、時間ホッピングパターン、そして／あるいは、周波数ホッピングパターンを用いている間に、送信され、
前記データ受信機（１１０）は、前記複数のサブデータパケット（１４２）を受信するために、前記個々の通信情報を用いている間に、前記時間ホッピングパターン、そして／あるいは、前記周波数ホッピングパターンを決定するように構成されていることを特徴とする、請求項３１に記載のデータ受信機（１１０）。
【請求項３３】
前記データ受信機（１１０）は、マッピングルールを用いている間に、前記個々の参考同期シーケンスを生成するように構成されていることを特徴とする、請求項１９ないし請求項３２のうちのいずれか１つに記載のデータ受信機（１１０）。
【請求項３４】
前記データパケット（１２０）は、前記データ送信機（１００）によって送信されるために、少なくとも１つのさらなるデータパケットについての追加の起動情報とともに提供され、
前記データ受信機（１１０）は、前記起動情報を用いている間に、前記少なくとも１つのさらなるデータパケットを受信するように構成されていることを特徴とする、請求項１９ないし請求項３３のうちのいずれか１つに記載のデータ受信機（１１０）。
【請求項３５】
前記起動情報は、少なくとも１つのさらなるデータパケットの送信時間、または、構造の情報を示していることを特徴とする、請求項３４に記載のデータ受信機（１１０）。
【請求項３６】
複数のデータ受信機にデータを送信するためのデータ送信機（１００）であって、前記データ送信機（１００）と前記１つのデータ受信機（１１０）との間の個々の通信のための個々の通信情報は、前記データ送信機（１００）、および前記複数のデータ受信機のうちの１つのデータ受信機（１１０）に知られており、前記データ送信機（１００）は、前記通信情報を用いている間に、個々の同期シーケンスを生成するように構成されており、
そして、前記データ受信機（１１０）で前記データパケット（１２０）を同期させるための個々の同期シーケンスとともに送信するための前記データパケット（１２０）を提供するように構成されており、
前記通信情報は、前記データ送信機を認証する情報、そして／あるいは、前記データ送信機のデータパケット（１２０）を認証する情報であり、
前記個々の通信情報は、前記データ送信機（１００）、そして、前記データ受信機（１１０）、または、限定されたデータ受信機のグループにのみ知られていることを特徴とする、データ送信機（１００）。
【請求項３７】
請求項１ないし請求項１８、または、請求項３６のうちのいずれか１つに記載のデータ送信機（１００）と、
請求項１９ないし請求項３５のうちのいずれか１つに記載のデータ受信機（１１０）と、
を備えることを特徴とするシステム。
【請求項３８】
データ受信機にデータを送信する方法（２４０）であって、
前記データ送信機、および前記データ受信機に知られている個々の通信情報を用いている間に、個々の同期シーケンスを生成するステップと、
前記データ受信機で、前記データパケットを同期させるための前記個々のシーケンスを含むデータパケットを送信するステップと、
を備え、
前記個々の通信情報は、前記データ送信機を認証する情報、そして／あるいは、前記データ送信機のデータパケット（１２０）を認証する情報であり、
前記個々の通信情報は、前記データ送信機（１００）、そして、前記データ受信機（１１０）、または、限定されたデータ受信機のグループにのみ知られていることを特徴とする、データを送信する方法（２４０）。
【請求項３９】
データパケットで、前記データ送信機によって送信された、前記データ送信機からのデータを受信する方法（２６０）であって、
前記受信する方法（２６０）は、
個々の通信情報を用いている間に、個々の参考同期シーケンスが生成されるステップ（２６２）と、
個々の参考同期シーケンスを用いている間の、データストリームの受信、または、データバッファの受信で、前記データパケットを検出するステップ（２６４）と、
検出されたデータパケットを受信するステップ（２６４）と、
を備え、
前記データパケットは、前記データ送信機、および前記データ受信機に知られている個々の通信情報を用いている間に生成された、個々の同期シーケンスとともに提供され、
前記個々の通信情報は、前記データ送信機を認証する情報、そして／あるいは、前記データ送信機のデータパケット（１２０）を認証する情報であり、
前記個々の通信情報は、前記データ送信機（１００）、そして、前記データ受信機（１１０）、または、限定されたデータ受信機のグループにのみ知られていることを特徴とする、データを受信する方法（２６０）。
【請求項４０】
通信システムの第１の発信者によって送信された先行するデータパケットの受信を確認する認証された受信の確認を送信する方法であって、
前記方法は、
前記通信システムの第２の発信者とともに前記先行するデータパケットを受信するステップと、
前記先のデータパケットの受信が成功した上で、第２の発信者から第１の発信者まで個々の同期シーケンスを有するデータパケットを送信するステップと、
を備え、
前記個々の同期シーケンスは、共通の通信のために、前記第１の発信者、および前記第２の発信者に個々に割り当てられた個々の通信情報から生成されており、
前記通信情報は、前記データ送信機を認証する情報、そして／あるいは、前記データ送信機のデータパケット（１２０）を認証する情報であり、
前記個々の通信情報は、前記データ送信機（１００）、そして、前記データ受信機（１１０）、または、限定されたデータ受信機のグループにのみ知られていることを特徴とする、認証された受信の確認を送信する方法。
【請求項４１】
請求項３８ないし請求項４０のうちのいずれか１つに記載の前記方法を実行するためのコンピュータプログラム。
【請求項４２】
データ受信機（１１０）にデータを送信するデータ送信機（１００）であって、
前記個々の通信情報は、前記データ送信機（１００）、および前記データ受信機（１１０）に知られており、前記データ送信機（１００）は、前記個々の通信情報を用いている間に、個々の同期シーケンスを生成するように構成されており、
前記データ送信機（１００）は、前記データ送信機（１００）と前記データ受信機（１１０）との間の先行する通信から前記個々の通信情報を抽出するように構成されており、
前記個々の通信情報は、暗号の署名であり、
または、前記個々の通信情報は、先行する通信の暗号化された部分であり、
前記個々の通信情報は、前記データ送信機（１００）、そして、前記データ受信機（１１０）、または、限定されたデータ受信機のグループにのみ知られていることを特徴とする、データ送信機（１００）。
【請求項４３】
前記データ送信機（１００）は、マッピング仕様を用いている間に、前記個々の通信情報から前記個々の同期シーケンスを生成するように構成されていることを特徴とする、請求項４２に記載のデータ送信機（１００）。
【請求項４４】
前記暗号の署名は、ＣＭＡＣであることを特徴とする、請求項４３に記載のデータ送信機（１００）。
【請求項４５】
前記先行する通信は、前記データ受信機（１１０）から、前記データ送信機（１００）によって受信された前記先行するデータパケットであることを特徴とする、請求項１ないし請求項４４のうちのいずれか１つに記載のデータ送信機（１００）。
【請求項４６】
前記データ送信機（１００）は、前記個々の通信情報からのマッピングルールを用いている間に、前記個々の同期シーケンスを生成するように構成されていることを特徴とする、請求項１ないし請求項４５のうちのいずれか１つに記載のデータ送信機（１００）。
【請求項４７】
前記データ送信機（１００）は、前記個々の通信情報だけから前記個々の同期シーケンスを生成するように構成されていることを特徴とする、請求項４６に記載のデータ送信機（１００）。
【請求項４８】
前記個々の同期シーケンスは、前記データ送信機（１００）が先行するデータパケットの正確な受信に応答してデータ送信機（１００）が送信した認証された受信の確認であるために、前記データパケット（１２０）は、前記個々の同期シーケンスを含んでいることを特徴とする、請求項１ないし請求項４７のうちのいずれか１つに記載のデータ送信機（１００）。
【請求項４９】
データパケット（１２０）で、データ送信機（１００）によって送信された、前記データ送信機（１００）からのデータを受信するデータ受信機（１１０）であって、
前記データパケット（１２０）は、前記データ送信機（１００）、および前記データ受信機（１１０）に知られている個々の通信情報を用いている間に生成された、個々の同期シーケンスを伴って提供され、前記データ受信機（１１０）は、前記通信情報を用いている間に、個々の参考同期シーケンスを生成し、そして、データストリームの受信、または、データバッファの受信で前記個々の参考同期シーケンスを用いている間に受信するために、前記データパケット（１２０）を検出するように構成されており、
前記データ受信機（１１０）は、前記データ送信機（１００）と前記データ受信機（１１０）との間の先行する通信から前記通信情報を抽出するように構成されていることを特徴とする、データ受信機（１１０）。
前記個々の通信情報は、暗号の署名であり、
または、前記個々の通信情報は、前記先行する通信の暗号化された部分であり、
前記個々の通信情報は、前記データ送信機（１００）、そして、前記データ受信機（１１０）、または、限定されたデータ受信機のグループにのみ知られていることを特徴とする、データ送信機（１００）。
【請求項５０】
前記暗号の署名は、ＣＭＡＣであることを特徴とする、請求項４９に記載のデータ受信機（１１０）。
【請求項５１】
前記先行する通信情報は、前記データ受信機（１１０）から、前記データ受信機（１１０）に送信された先行するデータパケットであることを特徴とする請求項１ないし請求項５０のうちのいずれか１つに記載のデータ受信機（１１０）。
【請求項５２】
前記データ受信機（１１０）は、前記個々の通信情報からのマッピングルールを用いている間に、前記個々の参考同期シーケンスを生成するように構成されていることを特徴とする、請求項１ないし請求項５１のうちのいずれか１つに記載のデータ受信機（１１０）。
【請求項５３】
前記データ受信機（１１０）は、前記個々の通信情報のみから前記個々の参考同期シーケンスを生成するように構成されていることを特徴とする、請求項５２に記載のデータ受信機（１１０）。
【請求項５４】
前記個々の同期シーケンスは、先行するデータパケットの正確な受信に応答して、前記データ送信機（１００）によって送信された認証された受信の確認であるために、前記データパケット（１２０）は、前記個々の同期シーケンスを含んでいることを特徴とする、請求項１ないし請求項５３のうちのいずれか１つに記載のデータ受信機（１１０）。
【請求項５５】
データ受信機にデータを送信する方法（２４０）であって、
前記方法は、
前記データ送信機（１００）、および前記データ受信機（１１０）に知られている個々の通信情報を用いている間に、個々の同期シーケンスを生成するステップ（２４２）と、
前記データ受信機でデータパケットを同期させるために、前記個々の同期シーケンスを有するデータパケットを送信するステップ（２４２）と、
前記個々の通信情報は、前記データ送信機（１００）、および前記データ受信機（１１０）の間の先行する通信から抽出されており、
前記個々の通信情報は、暗号の署名であり、
または、前記個々の通信情報は、前記先行する通信の暗号化された部分であり、
前記個々の通信情報は、前記データ送信機（１００）、そして、前記データ受信機（１１０）、または、限定されたデータ受信機のグループにのみ知られていることを特徴とする、データを送信する方法（２４０）。
【請求項５６】
データパケットで、データ送信機によって送信された、前記データ送信機からのデータを受信する方法（２６０）であって、
前記個々の通信情報を用いている間に、個々の参考同期シーケンスが生成されるステップ（２６２）と、
前記個々の参考同期シーケンスを用いている間の、データストリームの受信、または、データバッファの受信で、前記データパケットを検出するステップ（２６４）と、
前記検出されたデータパケットを受信するステップ（２６６）と、
を備え、
前記データパケットは、前記データ送信機、および前記データ受信機に知られている個々の通信情報を用いている間に生成された、個々の同期シーケンスとともに提供され、
前記個々の通信情報は、前記データ送信機（１００）、および前記データ受信機（１１０）との間の先行する通信から抽出されており、
前記個々の通信情報は、暗号の署名であり、
または、前記個々の通信情報は、前記先行する通信の暗号化された部分であり、
前記個々の通信情報は、前記データ送信機（１００）、そして、前記データ受信機（１１０）、または、限定されたデータ受信機のグループにのみ知られていることを特徴とする、データを受信する方法（２６０）。
【請求項５７】
請求項５５または請求項５６のうちのいずれか１つに記載の方法を実行することを特徴とする、コンピュータプログラム。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
データ受信機（１１０）にデータを送信するためのデータ送信機（１００）であって、
個々の通信情報は、前記データ送信機（１００）、および前記データ受信機（１１０）に知られるようになっており、前記データ送信機（１００）は、前記個々の通信情報を用いている間に、個々の同期シーケンスを生成するように構成されており、
前記個々の通信情報は、データ送信機を認証する情報、そして／あるいは、前記データ送信機のデータパケット（１２０）を認証する情報であり、
前記個々の通信情報は、前記データ送信機（１００）、および前記データ受信機（１１０）、または、前記データ送信機（１００）、および限定されたデータ受信機のグループにのみ知られていることを特徴とする、データ送信機（１００）。
【請求項２】
前記データ送信機（１００）は、マッピング仕様を用いている間に、前記個々の通信情報から前記個々の同期シーケンスを生成するように構成されていることを特徴とする、請求項１に記載のデータ送信機（１００）。
【請求項３】
前記データ送信機（１００）は、あらかじめ、前記通信情報を含むデータパケット（１２０）を前記データ受信機（１１０）に送信する、または、あらかじめ、前記データ受信機（１１０）から前記通信情報を受信するように構成されていることを特徴とする、請求項１または請求項２のうちのいずれか１つに記載のデータ送信機（１００）。
【請求項４】
前記データ送信機（１００）は、前記データ受信機（１１０）、そして／あるいは、限定されたデータ受信機のグループにのみ知られた同期シーケンスを伴う前記データパケット（１２０）を提供するように構成されていることを特徴とする、請求項３に記載のデータ送信機（１００）。
【請求項５】
前記データ送信機（１００）は、前記データ受信機（１１０）で、前記データパケット（１２０）を同期させるために、個々の同期シーケンスを伴って送信されたデータパケット（１２０）を提供するように構成されていることを特徴とする、請求項１ないし請求項４のうちのいずれか１つに記載のデータ送信機（１００）。
【請求項６】
前記個々の通信情報は、データ送信機（１００）、およびデータ受信機（１１０）との間の通信のために個別であることを特徴とする、請求項１ないし請求項５のうちのいずれか１つに記載のデータ送信機（１００）。
【請求項７】
前記通信情報は、前記データ送信機（１００）、そして、前記データ受信機（１１０）、または、限定されたデータ受信機のグループだけに知られていることを特徴とする、請求項１ないし請求項６のうちのいずれか１つに記載のデータ送信機（１００）。
【請求項８】
前記データ送信機（１００）は、それぞれのデータパケット、または、特定の時間間隔の後に、前記通信情報を更新することを特徴とする、請求項１ないし請求項７のうちのいずれか１つに記載のデータ送信機（１００）。
【請求項９】
前記通信情報は、署名であることを特徴とする、請求項１ないし請求項８のうちのいずれか１つに記載のデータ送信機（１００）。
【請求項１０】
前記通信情報は、暗号ベースのメッセージ認証コードであることを特徴とする、請求項９に記載のデータ送信機（１００）。
【請求項１１】
前記データ送信機（１００）は、前記データパケット（１２０）を複数のサブデータパケット（１４２）に分割して、そして、時間、そして／あるいは、周波数に割り振られた前記複数のサブデータパケット（１４２）を前記データ受信機（１１０）に送信するように構成されていることを特徴とする、請求項１ないし請求項１０のうちのいずれか１つに記載のデータ送信機（１００）。
【請求項１２】
前記データ送信機（１００）は、前記データパケット（１２０）を複数のサブデータパケット（１２０）に分割するように構成されており、前記個々の同期シーケンスは、前記複数のサブデータパケット（１４２）に分割されることを特徴とする、請求項１１に記載のデータ送信機（１００）。
【請求項１３】
前記データ送信機（１００）は、個々の通信情報を用いている間に、時間、そして／あるいは、周波数に割り振るために、複数のサブデータパケット（１４２）とともに送信される時間ホッピングパターン、そして／あるいは、周波数ホッピングパターンを生成するように構成されていることを特徴とする、請求項１１または請求項１２のうちのいずれか１つに記載のデータ送信機（１００）。
【請求項１４】
前記データ送信機（１００）は、前記個々の同期シーケンスを伴う前記データパケット（１２０）を繰り返し送信するように構成されていることを特徴とする、請求項１ないし請求項１３のうちのいずれか１つに記載のデータ送信機（１００）。
【請求項１５】
前記データ送信機（１００）は、前記データパケット（１２０）を複数のサブデータパケット（１４２）に分割して、そして、時間、そして／あるいは、周波数ホッピングパターンに従って、時間、そして／あるいは、周波数で、データ受信機（１１０）に割り振られる複数のサブデータパケット（１４２）を送信するように構成されており、
前記データ送信機（１００）は、個々の同期シーケンスを伴う前記データパケット（１２０）を繰り返し発射している間に、異なる時間、そして／あるいは、周波数ホッピングパターンを用いるように構成されていることを特徴とする、請求項１４に記載のデータ送信機（１００）。
【請求項１６】
前記個々の同期シーケンスを伴う前記データパケット（１２０）は、前記データ送信機（１００）が、先行するデータパケットの正確な受信に応答して送信する個々の同期シーケンスのための確認メッセージであることを特徴とする、請求項１ないし請求項１５のうちのいずれか１つに記載のデータ送信機（１００）。
【請求項１７】
前記データ送信機（１００）は、前記データ送信機（１００）から送信された、少なくとも１つのさらなるデータパケットについての追加の起動情報を伴う前記データパケット（１２０）を提供するように構成されていることを特徴とする、請求項１ないし請求項１６のうちのいずれか１つに記載のデータ送信機（１００）。
【請求項１８】
前記起動情報は、少なくとも１つのさらなるデータパケットの送信時間、または、構造の情報を特定することを特徴とする、請求項１７に記載のデータ送信機（１００）。
【請求項１９】
データパケット（１２０）で、データ送信機（１００）によって送信された、前記データ送信機（１００）からのデータを受信するデータ受信機（１１０）であって、
前記データパケット（１２０）は、前記データ送信機（１００）、および前記データ受信機（１１０）に知られている個々の通信情報を用いている間に生成された、個々の同期シーケンスとともに提供され、前記データ受信機（１１０）は、前記通信情報を用いている間に、個々の参考同期シーケンスを生成し、そして、データストリーム、または、データバッファの受信で前記個々の参考同期シーケンスを用いている間に受信するために、前記データパケット（１２０）を検出するように構成されており、
前記個々の通信情報は、前記データ送信機（１００）、そして／あるいは、前記データ送信機（１００）のデータパケット（１２０）を認証する情報であり、
前記個々の通信情報は、前記データ送信機（１００）、および前記データ受信機（１１０）、または、前記データ送信機（１００）、および限定されたデータ受信機のグループにのみ知られていることを特徴とする、データ受信機（１１０）。
【請求項２０】
前記データ受信機（１１０）は、あらかじめ、前記データ送信機（１００）から前記通信情報を含むデータパケット（１２０）を受信する、または、あらかじめ、前記データ送信機（１００）に前記通信情報を含むデータパケット（１２０）を送信するように構成されていることを特徴とする、請求項１９に記載のデータ受信機（１１０）。
【請求項２１】
前記データ受信機（１１０）は、前記データ受信機、およびさらなるデータ受信機に知られている参考同期シーケンスを用いている間に、データストリームの受信の中で同期シーケンスとともに提供された前記通信情報を含む前記データパケットを検出するように構成されていることを特徴とする、請求項２０に記載のデータ受信機（１１０）。
【請求項２２】
前記個々の通信情報は、前記データ送信機（１００）と前記データ受信機（１１０）の間の通信のために、個別であることを特徴とする、請求項１９ないし請求項２１のうちのいずれか１つに記載のデータ受信機（１１０）。
【請求項２３】
前記個々の通信情報は、前記データ送信機（１００）、前記データ受信機（１１０）、または、限定された受信機のグループだけに知られていることを特徴とする、請求項１９ないし請求項２２のうちのいずれか１つに記載のデータ受信機（１１０）。
【請求項２４】
前記通信情報は、署名であることを特徴とする、請求項１９ないし請求項２３のうちのいずれか１つに記載のデータ受信機（１１０）。
【請求項２５】
前記通信情報は、暗号ベースのメッセージ認証コードであることを特徴とする、請求項１９ないし請求項２４のうちのいずれか１つに記載のデータ受信機（１１０）。
【請求項２６】
前記データ受信機は、前記参考同期シーケンスを用いている間に、個々の同期シーケンスを伴う前記データパケットを同期させるように構成されていることを特徴とする、請求項１９ないし請求項２５のうちのいずれか１つに記載のデータ受信機（１１０）。
【請求項２７】
前記データ受信機（１１０）は、同期シーケンスを用いている間に、前記データ送信機（１００）と前記データ受信機（１１０）の間のチャンネルを推定するように構成されていることを特徴とする、請求項２６に記載のデータ受信機（１１０）。
【請求項２８】
前記データ受信機（１１０）は、前記受信された個々の同期シーケンスを用いている間に、前記データパケット（１２０）を複号することを特徴とする、請求項１９ないし請求項２７のうちのいずれか１つに記載のデータ受信機（１１０）。
【請求項２９】
前記データ受信機（１１０）は、前記データ送信機（１００）を認証するための前記受信された個々の同期シーケンスを受信している間に、前記データパケット（１２０）の前記データを複号することを特徴とする、請求項２８に記載のデータ受信機（１１０）。
【請求項３０】
前記データ受信機（１１０）は、前記データパケット（１２０）を複号している間に、
複号で知られていないシーケンスとされる前記受信された個々の同期シーケンスを含むように構成されていることを特徴とする、請求項２８または請求項２９のうちのいずれか１つに記載のデータ受信機（１１０）。
【請求項３１】
前記データパケット（１２０）は、複数のサブデータパケット（１４２）に分割されて送信されており、前記複数のサブデータパケットは、時間、そして／あるいは、周波数に割り振られて送信され、
前記データ受信機（１１０）は、前記データパケット（１２０）を得るために、前記複数のサブデータパケット（１４２）を受信し、および組み合わせることを特徴とする、請求項１９ないし請求項３０のうちのいずれか１つに記載のデータ受信機（１１０）。
【請求項３２】
前記複数のサブデータパケット（１４２）は、時間、および、周波数に割り振るために、時間ホッピングパターン、そして／あるいは、周波数ホッピングパターンを用いている間に、送信され、
前記データ受信機（１１０）は、前記複数のサブデータパケット（１４２）を受信するために、前記個々の通信情報を用いている間に、前記時間ホッピングパターン、そして／あるいは、前記周波数ホッピングパターンを決定するように構成されていることを特徴とする、請求項３１に記載のデータ受信機（１１０）。
【請求項３３】
前記データ受信機（１１０）は、マッピングルールを用いている間に、前記個々の参考同期シーケンスを生成するように構成されていることを特徴とする、請求項１９ないし請求項３２のうちのいずれか１つに記載のデータ受信機（１１０）。
【請求項３４】
前記データパケット（１２０）は、前記データ送信機（１００）によって送信されるために、少なくとも１つのさらなるデータパケットについての追加の起動情報とともに提供され、
前記データ受信機（１１０）は、前記起動情報を用いている間に、前記少なくとも１つのさらなるデータパケットを受信するように構成されていることを特徴とする、請求項１９ないし請求項３３のうちのいずれか１つに記載のデータ受信機（１１０）。
【請求項３５】
前記起動情報は、少なくとも１つのさらなるデータパケットの送信時間、または、構造の情報を示していることを特徴とする、請求項３４に記載のデータ受信機（１１０）。
【請求項３６】
複数のデータ受信機にデータを送信するためのデータ送信機（１００）であって、前記データ送信機（１００）と前記１つのデータ受信機（１１０）との間の個々の通信のための個々の通信情報は、前記データ送信機（１００）、および前記複数のデータ受信機のうちの１つのデータ受信機（１１０）に知られており、前記データ送信機（１００）は、前記通信情報を用いている間に、個々の同期シーケンスを生成するように構成されており、
そして、前記データ受信機（１１０）で前記データパケット（１２０）を同期させるための個々の同期シーケンスとともに送信するための前記データパケット（１２０）を提供するように構成されており、
前記通信情報は、前記データ送信機を認証する情報、そして／あるいは、前記データ送信機のデータパケット（１２０）を認証する情報であり、
前記個々の通信情報は、前記データ送信機（１００）、および前記データ受信機（１１０）、または、前記データ送信機（１００）、および限定されたデータ受信機のグループにのみ知られていることを特徴とする、データ送信機（１００）。
【請求項３７】
請求項１ないし請求項１８、または、請求項３６のうちのいずれか１つに記載のデータ送信機（１００）と、
請求項１９ないし請求項３５のうちのいずれか１つに記載のデータ受信機（１１０）と、
を備えることを特徴とするシステム。
【請求項３８】
データ受信機にデータを送信する方法（２４０）であって、
前記データ送信機、および前記データ受信機に知られている個々の通信情報を用いている間に、個々の同期シーケンスを生成するステップと、
前記データ受信機で、前記データパケットを同期させるための前記個々のシーケンスを含むデータパケットを送信するステップと、
を備え、
前記個々の通信情報は、前記データ送信機を認証する情報、そして／あるいは、前記データ送信機のデータパケット（１２０）を認証する情報であり、
前記個々の通信情報は、前記データ送信機（１００）、および前記データ受信機（１１０）、または、前記データ送信機（１００）、および限定されたデータ受信機のグループにのみ知られていることを特徴とする、データを送信する方法（２４０）。
【請求項３９】
データパケットで、前記データ送信機によって送信された、前記データ送信機からのデータを受信する方法（２６０）であって、
前記受信する方法（２６０）は、
個々の通信情報を用いている間に、個々の参考同期シーケンスが生成されるステップ（２６２）と、
個々の参考同期シーケンスを用いている間の、データストリームの受信、または、データバッファの受信で、前記データパケットを検出するステップ（２６４）と、
検出されたデータパケットを受信するステップ（２６４）と、
を備え、
前記データパケットは、前記データ送信機、および前記データ受信機に知られている個々の通信情報を用いている間に生成された、個々の同期シーケンスとともに提供され、
前記個々の通信情報は、前記データ送信機を認証する情報、そして／あるいは、前記データ送信機のデータパケット（１２０）を認証する情報であり、
前記個々の通信情報は、前記データ送信機（１００）、および前記データ受信機（１１０）、または、前記データ送信機（１００）、および限定されたデータ受信機のグループにのみ知られていることを特徴とする、データを受信する方法（２６０）。
【請求項４０】
通信システムの第１の発信者によって送信された先行するデータパケットの受信を確認する認証された受信の確認を送信する方法であって、
前記方法は、
前記通信システムの第２の発信者とともに前記先行するデータパケットを受信するステップと、
前記先のデータパケットの受信が成功した上で、第２の発信者から第１の発信者まで個々の同期シーケンスを有するデータパケットを送信するステップと、
を備え、
前記個々の同期シーケンスは、共通の通信のために、前記第１の発信者、および前記第２の発信者に個々に割り当てられた個々の通信情報から生成されており、
前記通信情報は、前記データ送信機を認証する情報、そして／あるいは、前記データ送信機のデータパケット（１２０）を認証する情報であり、
前記個々の通信情報は、前記データ送信機（１００）、および前記データ受信機（１１０）、または、前記データ送信機（１００）、および限定されたデータ受信機のグループにのみ知られていることを特徴とする、認証された受信の確認を送信する方法。
【請求項４１】
請求項３８ないし請求項４０のうちのいずれか１つに記載の前記方法を実行するためのコンピュータプログラム。
【請求項４２】
データ受信機（１１０）にデータを送信するデータ送信機（１００）であって、
前記個々の通信情報は、前記データ送信機（１００）、および前記データ受信機（１１０）に知られており、前記データ送信機（１００）は、前記個々の通信情報を用いている間に、個々の同期シーケンスを生成するように構成されており、
前記データ送信機（１００）は、前記データ送信機（１００）と前記データ受信機（１１０）との間の先行する通信から前記個々の通信情報を抽出するように構成されてい
前記個々の通信情報は、暗号の署名であり、
または、前記個々の通信情報は、先行する通信の暗号化された部分であり、
前記個々の通信情報は、前記データ送信機（１００）、および前記データ受信機（１１０）、または、前記データ送信機（１００）、および限定されたデータ受信機のグループにのみ知られていることを特徴とする、データ送信機（１００）。
【請求項４３】
前記データ送信機（１００）は、マッピング仕様を用いている間に、前記個々の通信情報から前記個々の同期シーケンスを生成するように構成されていることを特徴とする、請求項４２に記載のデータ送信機（１００）。
【請求項４４】
前記暗号の署名は、ＣＭＡＣであることを特徴とする、請求項４３に記載のデータ送信機（１００）。
【請求項４５】
前記先行する通信は、前記データ受信機（１１０）から、前記データ送信機（１００）によって受信された前記先行するデータパケットであることを特徴とする、請求項１ないし請求項４４のうちのいずれか１つに記載のデータ送信機（１００）。
【請求項４６】
前記データ送信機（１００）は、前記個々の通信情報からのマッピングルールを用いている間に、前記個々の同期シーケンスを生成するように構成されていることを特徴とする、請求項１ないし請求項４５のうちのいずれか１つに記載のデータ送信機（１００）。
【請求項４７】
前記データ送信機（１００）は、前記個々の通信情報だけから前記個々の同期シーケンスを生成するように構成されていることを特徴とする、請求項４６に記載のデータ送信機（１００）。
【請求項４８】
前記個々の同期シーケンスは、前記データ送信機（１００）が先行するデータパケットの正確な受信に応答してデータ送信機（１００）が送信した認証された受信の確認であるために、前記データパケット（１２０）は、前記個々の同期シーケンスを含んでいることを特徴とする、請求項１ないし請求項４７のうちのいずれか１つに記載のデータ送信機（１００）。
【請求項４９】
データパケット（１２０）で、データ送信機（１００）によって送信された、前記データ送信機（１００）からのデータを受信するデータ受信機（１１０）であって、
前記データパケット（１２０）は、前記データ送信機（１００）、および前記データ受信機（１１０）に知られている個々の通信情報を用いている間に生成された、個々の同期シーケンスを伴って提供され、前記データ受信機（１１０）は、前記通信情報を用いている間に、個々の参考同期シーケンスを生成し、そして、データストリームの受信、または、データバッファの受信で前記個々の参考同期シーケンスを用いている間に受信するために、前記データパケット（１２０）を検出するように構成されており、
前記データ受信機（１１０）は、前記データ送信機（１００）と前記データ受信機（１１０）との間の先行する通信から前記通信情報を抽出するように構成されていることを特徴とする、データ受信機（１１０）。
前記個々の通信情報は、暗号の署名であり、
または、前記個々の通信情報は、前記先行する通信の暗号化された部分であり、
前記個々の通信情報は、前記データ送信機（１００）、および前記データ受信機（１１０）、または、前記データ送信機（１００）、および限定されたデータ受信機のグループにのみ知られていることを特徴とする、データ送信機（１００）。
【請求項５０】
前記暗号の署名は、ＣＭＡＣであることを特徴とする、請求項４９に記載のデータ受信機（１１０）。
【請求項５１】
前記先行する通信情報は、前記データ受信機（１１０）から、前記データ受信機（１１０）に送信された先行するデータパケットであることを特徴とする請求項１ないし請求項５０のうちのいずれか１つに記載のデータ受信機（１１０）。
【請求項５２】
前記データ受信機（１１０）は、前記個々の通信情報からのマッピングルールを用いている間に、前記個々の参考同期シーケンスを生成するように構成されていることを特徴とする、請求項１ないし請求項５１のうちのいずれか１つに記載のデータ受信機（１１０）。
【請求項５３】
前記データ受信機（１１０）は、前記個々の通信情報のみから前記個々の参考同期シーケンスを生成するように構成されていることを特徴とする、請求項５２に記載のデータ受信機（１１０）。
【請求項５４】
前記個々の同期シーケンスは、先行するデータパケットの正確な受信に応答して、前記データ送信機（１００）によって送信された認証された受信の確認であるために、前記データパケット（１２０）は、前記個々の同期シーケンスを含んでいることを特徴とする、請求項１ないし請求項５３のうちのいずれか１つに記載のデータ受信機（１１０）。
【請求項５５】
データ受信機にデータを送信する方法（２４０）であって、
前記方法は、
前記データ送信機（１００）、および前記データ受信機（１１０）に知られている個々の通信情報を用いている間に、個々の同期シーケンスを生成するステップ（２４２）と、
前記データ受信機でデータパケットを同期させるために、前記個々の同期シーケンスを有するデータパケットを送信するステップ（２４２）と、
前記個々の通信情報は、前記データ送信機（１００）、および前記データ受信機（１１０）の間の先行する通信から抽出されており、
前記個々の通信情報は、暗号の署名であり、
または、前記個々の通信情報は、前記先行する通信の暗号化された部分であり、
前記個々の通信情報は、前記データ送信機（１００）、および前記データ受信機（１１０）、または、前記データ送信機（１００）、および限定されたデータ受信機のグループにのみ知られていることを特徴とする、データを送信する方法（２４０）。
【請求項５６】
データパケットで、データ送信機によって送信された、前記データ送信機からのデータを受信する方法（２６０）であって、
前記個々の通信情報を用いている間に、個々の参考同期シーケンスが生成されるステップ（２６２）と、
前記個々の参考同期シーケンスを用いている間の、データストリームの受信、または、データバッファの受信で、前記データパケットを検出するステップ（２６４）と、
前記検出されたデータパケットを受信するステップ（２６６）と、
を備え、
前記データパケットは、前記データ送信機、および前記データ受信機に知られている個々の通信情報を用いている間に生成された、個々の同期シーケンスとともに提供され、
前記個々の通信情報は、前記データ送信機（１００）、および前記データ受信機（１１０）との間の先行する通信から抽出されており、
前記個々の通信情報は、暗号の署名であり、
または、前記個々の通信情報は、前記先行する通信の暗号化された部分であり、
前記個々の通信情報は、前記データ送信機（１００）、および前記データ受信機（１１０）、または、前記データ送信機（１００）、および限定されたデータ受信機のグループにのみ知られていることを特徴とする、データを受信する方法（２６０）。
【請求項５７】
請求項５５または請求項５６のうちのいずれか１つに記載の方法を実行することを特徴とする、コンピュータプログラム。
【国際調査報告】
2020515154.tif 000015
2020515154.tif 000016
2020515154.tif 000017
2020515154.tif 000018
2020515154.tif 000019
2020515154.tif 000020
2020515154.tif 000021
2020515154.tif 000022
2020515154.tif 000023